(57)【要約】      （修正有）【課題】赤外線吸収色素を含有する画像の検出方法において、当該画像の赤外線（好ましくは７５０〜１５００ｎｍの近赤外線）の吸収効率を高め、経時での赤外吸収の劣化を抑制すること。【解決手段】赤外線を照射して走査することによって製品表面に付された画像を検出する画像検出方法において、画像が特定の化学式で表されるトリアリールアミン誘導体を含んでいる方法。【選択図】なし【特許請求の範囲】
【請求項１】
赤外線を照射して走査することによって製品表面に付された画像を検出する画像検出方法であって、前記画像が下記一般式（Ｉ）で表される化合物を含む画像検出方法。
【化１】
2008261809.tif 000023
〔一般式（Ｉ）中、Ｒ１１１、Ｒ１１２、Ｒ１２１、Ｒ１２２、Ｒ１３１およびＲ１３２は、各々独立に、水素原子、脂肪族基または芳香族基を表し、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、水素原子または置換基を表し、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。Ｘは、１価または２価の陰イオンを表し、ｎは１または２を表し、Ｘの価数とｎとの積は２となる。但し、Ｒ１３１とＲ１３２とが同時に４位に−ＮＲ１４１Ｒ１４２で表される基を有するフェニル基となることはない。ここで、Ｒ１４１およびＲ１４２は各々独立に水素原子、脂肪族基または芳香族基を表す。〕
【請求項２】
下記一般式（Ｉ）で表される化合物を用いて、熱シグナルを強化された熱シグナルに変換し、または光シグナルを熱シグナルに変換するシグナル変換方法。
【化２】
2008261809.tif 000024
〔一般式（Ｉ）中、Ｒ１１１、Ｒ１１２、Ｒ１２１、Ｒ１２２、Ｒ１３１およびＲ１３２は、各々独立に、水素原子、脂肪族基または芳香族基を表し、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、水素原子または置換基を表し、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。Ｘは、１価または２価の陰イオンを表し、ｎは１または２を表し、Ｘの価数とｎとの積は２となる。但し、Ｒ１３１とＲ１３２とが同時に４位に−ＮＲ１４１Ｒ１４２で表される基を有するフェニル基となることはない。ここで、Ｒ１４１およびＲ１４２は各々独立に水素原子、脂肪族基または芳香族基を表す。〕
【請求項３】
下記一般式（Ｉ）で表される化合物を含むインク。
【化３】
2008261809.tif 000025
〔一般式（Ｉ）中、Ｒ１１１、Ｒ１１２、Ｒ１２１、Ｒ１２２、Ｒ１３１およびＲ１３２は、各々独立に、水素原子、脂肪族基または芳香族基を表し、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、水素原子または置換基を表し、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。Ｘは、１価または２価の陰イオンを表し、ｎは１または２を表し、Ｘの価数とｎとの積は２となる。但し、Ｒ１３１とＲ１３２とが同時に４位に−ＮＲ１４１Ｒ１４２で表される基を有するフェニル基となることはない。ここで、Ｒ１４１およびＲ１４２は各々独立に水素原子、脂肪族基または芳香族基を表す。〕
【請求項４】
着色剤を更に含むことを特徴とする請求項３に記載のインク。
【請求項５】
アルコキシル化もしくはポリアルコキシル化アクリレートモノマーおよび光開始剤を更に含むことを特徴とする請求項３または請求項４に記載のインク。
【請求項６】
製品または支持体に下記一般式（Ｉ）で表される化合物を含むマークを付し、付されたマークに赤外線を照射して特徴的な吸収を検出および／または測定する過程を含む、製品または支持体の真偽を証明する方法。
【化４】
2008261809.tif 000026
〔一般式（Ｉ）中、Ｒ１１１、Ｒ１１２、Ｒ１２１、Ｒ１２２、Ｒ１３１およびＲ１３２は、各々独立に、水素原子、脂肪族基または芳香族基を表し、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、水素原子または置換基を表し、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。Ｘは、１価または２価の陰イオンを表し、ｎは１または２を表し、Ｘの価数とｎとの積は２となる。但し、Ｒ１３１とＲ１３２とが同時に４位に−ＮＲ１４１Ｒ１４２で表される基を有するフェニル基となることはない。ここで、Ｒ１４１およびＲ１４２は各々独立に水素原子、脂肪族基または芳香族基を表す。〕
【請求項７】
下記一般式（Ｉ）で表される化合物を含む鉱油。
【化５】
2008261809.tif 000027
〔一般式（Ｉ）中、Ｒ１１１、Ｒ１１２、Ｒ１２１、Ｒ１２２、Ｒ１３１およびＲ１３２は、各々独立に、水素原子、脂肪族基または芳香族基を表し、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、水素原子または置換基を表し、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。Ｘは、１価または２価の陰イオンを表し、ｎは１または２を表し、Ｘの価数とｎとの積は２となる。但し、Ｒ１３１とＲ１３２とが同時に４位に−ＮＲ１４１Ｒ１４２で表される基を有するフェニル基となることはない。ここで、Ｒ１４１およびＲ１４２は各々独立に水素原子、脂肪族基または芳香族基を表す。〕
【請求項８】
下記一般式（Ｉ）で表される化合物を含む熱線遮断材。
【化６】
2008261809.tif 000028
〔一般式（Ｉ）中、Ｒ１１１、Ｒ１１２、Ｒ１２１、Ｒ１２２、Ｒ１３１およびＲ１３２は、各々独立に、水素原子、脂肪族基または芳香族基を表し、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、水素原子または置換基を表し、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。Ｘは、１価または２価の陰イオンを表し、ｎは１または２を表し、Ｘの価数とｎとの積は２となる。但し、Ｒ１３１とＲ１３２とが同時に４位に−ＮＲ１４１Ｒ１４２で表される基を有するフェニル基となることはない。ここで、Ｒ１４１およびＲ１４２は各々独立に水素原子、脂肪族基または芳香族基を表す。〕
【請求項９】
下記一般式（Ｉ）で表される化合物を用いたポリマーの溶接方法。
【化７】
2008261809.tif 000029
〔一般式（Ｉ）中、Ｒ１１１、Ｒ１１２、Ｒ１２１、Ｒ１２２、Ｒ１３１およびＲ１３２は、各々独立に、水素原子、脂肪族基または芳香族基を表し、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、水素原子または置換基を表し、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。Ｘは、１価または２価の陰イオンを表し、ｎは１または２を表し、Ｘの価数とｎとの積は２となる。但し、Ｒ１３１とＲ１３２とが同時に４位に−ＮＲ１４１Ｒ１４２で表される基を有するフェニル基となることはない。ここで、Ｒ１４１およびＲ１４２は各々独立に水素原子、脂肪族基または芳香族基を表す。〕
【請求項１０】
感光層を含むリソグラフィック印刷プレートの製造方法であって、
下記一般式（Ｉ）で表される化合物を含む感光層に、パターン情報に従って赤外線レーザーを照射することを特徴とするリソグラフィック印刷プレートの製造方法。
【化８】
2008261809.tif 000030
〔一般式（Ｉ）中、Ｒ１１１、Ｒ１１２、Ｒ１２１、Ｒ１２２、Ｒ１３１およびＲ１３２は、各々独立に、水素原子、脂肪族基または芳香族基を表し、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、水素原子または置換基を表し、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。Ｘは、１価または２価の陰イオンを表し、ｎは１または２を表し、Ｘの価数とｎとの積は２となる。但し、Ｒ１３１とＲ１３２とが同時に４位に−ＮＲ１４１Ｒ１４２で表される基を有するフェニル基となることはない。ここで、Ｒ１４１およびＲ１４２は各々独立に水素原子、脂肪族基または芳香族基を表す。〕
【発明の詳細な説明】
【技術分野】
【０００１】
本発明は、トリアリールアミン誘導化合物、詳しくは７５０〜１５００ｎｍ、特に８００〜１０００ｎｍの電磁スペクトルの近赤外線領域を吸収する特定のトリアリールアミン誘導化合物を用いた、画像検出方法、シグナル変換方法、インク、製品または支持体の真偽を証明する方法、鉱油、熱線遮断材、ポリマーの溶接方法、リソグラフィック印刷プレートの製造方法に関する。
【背景技術】
【０００２】
従来より、近赤外線を吸収する色素を用いたシステムとしては、様々ものが知られている。例えば、不可視情報を利用したシステム、光エネルギーを熱エネルギーに変換するシステムなど（例えば、特許文献１〜２参照）、また、熱線を遮断するシステムが開示されている（例えば、特許文献３参照）。
【０００３】
これらの用途には、各システム毎に求められる物性が異なる。つまり、不可視性、すなわち可視域に吸収を持たないことが最重要である場合があるほか、レーザーや発光光源の波長に合った吸収パターンであること等が望まれる。そして、色素の堅牢性に関しては、どの用途でも一定以上の水準が求められた。
【０００４】
また、赤外線吸収色素であるトリス−Ｎ，Ｎ，Ｎ−（４−アミノフェニル）アミン化合物は古くから知られているが、近赤外線吸収色素として実用に供される検討は殆どなされていない（例えば、非特許文献１〜２参照）。
【特許文献１】特表２００５−５３７，３１９号公報
【特許文献２】特表２００１−５２７，６００号公報
【特許文献３】特開２０００−１７，１８４号公報
【非特許文献１】デア・ドイチェン・ヘミッシェン・ゲゼルシャフト、９２巻、２４５−２５１ページ（１９５９年）
【非特許文献２】スペクトロケミカ・アクタ、２３巻、６５５−６７５ページ（１９６７年）
【発明の開示】
【発明が解決しようとする課題】
【０００５】
上記のように、近赤外線を吸収する色素を利用した用途については、種々検討がなされているものの、色素の堅牢性に関してはいずれの用途でも一定以上の水準を必ずしも満足するに至っておらず、更なる向上が求められている。特に、耐光性、耐熱性、耐湿熱性に優れていることが重要である。
【０００６】
本発明は、上記に鑑みなされたものであり、赤外線（好ましくは７５０〜１５００ｎｍ、特に８００〜１０００ｎｍの電磁スペクトルの近赤外線）の吸収効率が高く、経時での赤外吸収の劣化が抑えられた画像検出方法、シグナル変換方法、インク、製品または支持体の真偽を証明する方法、鉱油、熱線遮断材、ポリマーの溶接方法、並びにリソグラフィック印刷プレートの製造方法を提供することを目的とし、該目的を達成することを課題とする。
【課題を解決するための手段】
【０００７】
前記課題を達成するための具体的手段は以下の通りである。
＜１＞  赤外線を照射して走査することによって製品表面に付された画像を検出する画像検出方法であって、前記画像が下記一般式（Ｉ）で表される化合物を含む画像検出方法である。
【０００８】
【化１】
2008261809.tif 000002
【０００９】
前記一般式（Ｉ）において、Ｒ１１１、Ｒ１１２、Ｒ１２１、Ｒ１２２、Ｒ１３１およびＲ１３２は、各々独立に、水素原子、脂肪族基または芳香族基を表し、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、水素原子または置換基を表し、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。Ｘは、１価または２価の陰イオンを表し、ｎは１または２を表し、Ｘの価数とｎとの積は２となる。但し、Ｒ１３１とＲ１３２とが同時に４位に−ＮＲ１４１Ｒ１４２で表される基を有するフェニル基となることはない。ここで、Ｒ１４１およびＲ１４２は各々独立に水素原子、脂肪族基または芳香族基を表す。
【００１０】
前記＜１＞に記載の画像検出方法においては、一般式（Ｉ）で表される化合物が近赤外線吸収色素であり、この化合物を用いることによって、画像部分における近赤外線の吸収を検知して所望とする製品を検出することが可能である。また、この化合物は、耐光性や熱堅牢性、湿熱堅牢性に優れることから、外光、特には紫外線、可視光線に曝され、高温環境下（例えば８０℃）に置かれた場合でも耐用し得る堅牢さを有しており、経時での赤外吸収の劣化を回避して検出性を良好に維持することができる。
【００１１】
＜２＞  前記一般式（Ｉ）で表される化合物を用いて、熱シグナルを強化された熱シグナルに変換し、または光シグナルを熱シグナルに変換するシグナル変換方法である。
前記＜２＞に記載のシグナル変換方法によれば、一般式（Ｉ）で表される化合物が赤外線（好ましくは７５０〜１５００ｎｍ、特に８００〜１０００ｎｍの電磁スペクトルの近赤外線）の吸収効率が高いので、シグナル変換に有用であり、しかも経時での赤外吸収の劣化が回避され、長期にわたって安定性を維持することができる。
【００１２】
＜３＞  前記一般式（Ｉ）で表される化合物を含むインクである。
＜４＞  着色剤を更に含むことを特徴とする前記＜３＞に記載のインクである。
＜５＞  アルコキシル化もしくはポリアルコキシル化アクリレートモノマーおよび光開始剤を更に含むことを特徴とする前記＜３＞または前記＜４＞に記載のインクである。
前記＜３＞〜＜５＞に記載のインクによれば、所望とする物品等に付与することで、固有種（例えば製品の種類や真偽）の識別、信号の検知、偽造防止に有用であり、長期にわたって識別性、検知性を安定に維持できる。
【００１３】
＜６＞  製品または支持体に前記一般式（Ｉ）で表される化合物を含むマークを付し、付されたマークに赤外線を照射して特徴的な吸収を検出および／または測定する過程を含む、製品または支持体の真偽を証明する方法である。
前記＜６＞に記載の方法によれば、赤外線による特異な吸収の検出、測定が容易に行なえ、しかも長期にわたって継続的に利用することができる。
【００１４】
＜７＞  前記一般式（Ｉ）で表される化合物を含む鉱油である。
前記＜７＞に記載の鉱油によれば、一般式（Ｉ）で表される化合物を含むので、油種の判別が容易かつ長期間安定に行なえる。
【００１５】
＜８＞  前記一般式（Ｉ）で表される化合物を含む熱線遮断材である。
＜９＞  前記一般式（Ｉ）で表される化合物を用いたポリマーの溶接方法である。
前記＜８＞に記載の熱線遮断材および前記＜９＞に記載のポリマーの溶接方法によれば、赤外線の吸収効率が高く、前者では高い熱線遮断効率が得られ、後者ではポリマー溶接時の光熱変換が良好に行なわれ、強度の高い溶接を効率良く行なえる。経時での効率劣化が抑えられ、長期にわたり安定的な性能を維持できる。
【００１６】
＜１０＞  感光層を含むリソグラフィック印刷プレートの製造方法であって、前記一般式（Ｉ）で表される化合物を含む感光層に、パターン情報に従って赤外線レーザーを照射することを特徴とするリソグラフィック印刷プレートの製造方法である。
前記＜１０＞に記載のリソグラフィック印刷プレートの製造方法によれば、感度バラツキを抑えて感度良く、画像の良好なプレートを長期にわたって安定的に作製できる。
【発明の効果】
【００１７】
本発明によれば、赤外線（好ましくは７５０〜１５００ｎｍ、特に８００〜１０００ｎｍの電磁スペクトルの近赤外線）の吸収効率が高く、経時での赤外吸収の劣化が抑えられた画像検出方法、シグナル変換方法、インク、製品または支持体の真偽を証明する方法、鉱油、熱線遮断材、ポリマーの溶接方法、並びにリソグラフィック印刷プレートの製造方法を提供することができる。
【００１８】
本発明は、赤外線、中でも７５０〜１５００ｎｍ、特に８００〜１０００ｎｍの電磁スペクトルの近赤外線領域の吸収を利用して固有種（例えば製品の種類や真偽）の識別、信号の検知、偽造防止、ポリマーの溶接、赤外線遮断などを行なう種々の用途、並びにこれら用途に供される材料（例えば、インク、鉱油、熱線遮断材、リソグラフィック印刷プレートなど）の用途に好適である。
【発明を実施するための最良の形態】
【００１９】
以下、本発明の画像検出方法、シグナル変換方法、インク、製品または支持体の真偽を証明する方法、鉱油、熱線遮断材、ポリマーの溶接方法、並びにリソグラフィック印刷プレートの製造方法について詳細に説明する。
【００２０】
なお、本明細書において、「〜」はその前後に記載される数値の下限値および上限値を含む意味に使用される。
【００２１】
本発明に用いられる下記一般式（Ｉ）で表される化合物について詳細に説明する。
【化２】
2008261809.tif 000003
【００２２】
前記一般式（Ｉ）において、Ｒ１１１、Ｒ１１２、Ｒ１２１、Ｒ１２２、Ｒ１３１およびＲ１３２は、各々独立に、水素原子、脂肪族基または芳香族基を表す。また、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、水素原子または置換基を表し、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。
【００２３】
本明細書において、「脂肪族基」は、アルキル基、置換アルキル基、アルケニル基、置換アルケニル基、アルキニル基、置換アルキニル基、アラルキル基、または置換アラルキル基を意味する。アルキル基は分岐を有していてもよく、また環を形成していてもよい。アルキル基の炭素数は、１〜２０であることが好ましく、１〜１８であることが更に好ましい。アルキル基の具体例としては、メチル、エチル、ｎ−プロピル、イソプロピル、ｔ−ブチル、ｎ−オクチル、エイコシル、２−クロロエチル、２−シアノエチル、２−エチルヘキシル、シクロヘキシル、シクロペンチル、４−ｎ−ドデシルシクロヘキシル、ビシクロ［１．２．２］ヘプタン−２−イル、ビシクロ［２．２．２］オクタン−３−イル等を挙げることができる。
置換アルキル基のアルキル部分は、前記アルキル基と同義であり、好ましい範囲も同義である。
【００２４】
アルケニル基は分岐を有していてもよく、また環を形成していてもよい。アルケニル基の炭素数は２〜２０であることが好ましく、２〜１８であることが更に好ましい。アルケニル基の具体例としては、ビニル、アリル、プレニル、ゲラニル、オレイル、２−シクロペンテン−１−イル、２−シクロヘキセン−１−イル、ビシクロ［２．２．１］ヘプト−２−エン−１−イル、ビシクロ［２．２．２］オクト−２−エン−４−イル等を挙げることができる。
置換アルケニル基のアルケニル部分は、前記アルケニル基と同義であり、好ましい範囲も同義である。
【００２５】
アルキニル基は分岐を有していてもよく、また環を形成していてもよい。アルキニル基の炭素数は２〜２０であることが好ましく、２〜１８であることが更に好ましい。アルキニル基の具体例としては、エチニル、プロパルギル、トリメチルシリルエチニル等を挙げることができる。
置換アルキニル基のアルキニル部分は、前記アルキニル基と同義であり、好ましい範囲も同義である。
【００２６】
アラルキル基および置換アラルキル基のアルキル部分は、前記アルキル基と同義であり、好ましい範囲も同義である。アラルキル基および置換アラルキル基のアリール部分は、下記アリール基と同義であり、好ましい範囲も同義である。アラルキル基の具体例としては、ベンジル基、フェニルエチル基等を挙げることができる。
【００２７】
置換アルキル基、置換アルケニル基、置換アルキニル基および置換アラルキル基のアルキル部分の置換基の例にはハロゲン原子（例えば、フッ素原子、塩素原子、臭素原子、ヨウ素原子等）、アルキル基〔直鎖、分岐、環状の置換もしくは無置換のアルキル基を表す。それらは、アルキル基（好ましくは、炭素数１〜３０のアルキル基、例えばメチル、エチル、ｎ−プロピル、イソプロピル、ｔ−ブチル、ｎ−オクチル、エイコシル、２−クロロエチル、２−シアノエチル、２―エチルヘキシル等）、シクロアルキル基（好ましくは、炭素数３〜３０の置換または無置換のシクロアルキル基、例えば、シクロヘキシル、シクロペンチル、４−ｎ−ドデシルシクロヘキシル等）、ビシクロアルキル基（好ましくは、炭素数５〜３０の置換もしくは無置換のビシクロアルキル基、つまり、炭素数５〜３０のビシクロアルカンから水素原子を一個取り去った一価の基である。例えば、ビシクロ［１．２．２］ヘプタン−２−イル、ビシクロ［２．２．２］オクタン−３−イル等）、更に環構造が多いトリシクロ構造を包含するものである。以下に説明する置換基の中のアルキル基（例えばアルキルチオ基のアルキル基）も同様の概念のアルキル基を表す。］、
【００２８】
アルケニル基［直鎖、分岐、環状の置換もしくは無置換のアルケニル基を表す。それらは、アルケニル基（好ましくは、炭素数２〜３０の置換または無置換のアルケニル基、例えば、ビニル、アリル、プレニル、ゲラニル、オレイル等）、シクロアルケニル基（好ましくは、炭素数３〜３０の置換もしくは無置換のシクロアルケニル基、つまり、炭素数３〜３０のシクロアルケンの水素原子を一個取り去った一価の基である。例えば、２−シクロペンテン−１−イル、２−シクロヘキセン−１−イル等）、ビシクロアルケニル基（置換もしくは無置換のビシクロアルケニル基、好ましくは、炭素数５〜３０の置換もしくは無置換のビシクロアルケニル基、つまり二重結合を一個持つビシクロアルケンから水素原子を一個取り去った一価の基である。例えば、ビシクロ［２．２．１］ヘプト−２−エン−１−イル、ビシクロ［２．２．２］オクト−２−エン−４−イル等）を包含するものである。］、
【００２９】
アルキニル基（好ましくは、炭素数２〜３０の置換または無置換のアルキニル基、例えば、エチニル、プロパルギル、トリメチルシリルエチニル基等）、アリール基（好ましくは、炭素数６〜３０の置換もしくは無置換のアリール基、例えば、フェニル、ｐ−トリル、ナフチル、ｍ−クロロフェニル、ｏ−ヘキサデカノイルアミノフェニル等）、ヘテロ環基（好ましくは、５員または６員の置換もしくは無置換の、芳香族もしくは非芳香族のヘテロ環化合物から一個の水素原子を取り除いた一価の基であり、更に好ましくは、炭素数３〜３０の５員もしくは６員の芳香族のヘテロ環基である。例えば、２−フリル、２−チエニル、２−ピリミジニル、２−ベンゾチアゾリル等）、
【００３０】
シアノ基、ヒドロキシ基、ニトロ基、カルボキシ基、アルコキシ基（好ましくは、炭素数１〜３０の置換もしくは無置換のアルコキシ基、例えば、メトキシ、エトキシ、イソプロポキシ、ｔ−ブトキシ、ｎ−オクチルオキシ、２−メトキシエトキシ等）、アリールオキシ基（好ましくは、炭素数６〜３０の置換もしくは無置換のアリールオキシ基、例えば、フェノキシ、２−メチルフェノキシ、４−ｔ−ブチルフェノキシ、３−ニトロフェノキシ、２−テトラデカノイルアミノフェノキシ等）、シリルオキシ基（好ましくは、炭素数３〜２０のシリルオキシ基、例えば、トリメチルシリルオキシ、ｔ−ブチルジメチルシリルオキシ等）、ヘテロ環オキシ基（好ましくは、炭素数２〜３０の置換もしくは無置換のヘテロ環オキシ基、１−フェニルテトラゾール−５−オキシ、２−テトラヒドロピラニルオキシ等）、
【００３１】
アシルオキシ基（好ましくは、炭素数２〜３０の置換もしくは無置換のアルキルカルボニルオキシ基、炭素数６〜３０の置換もしくは無置換のアリールカルボニルオキシ基、例えば、ホルミルオキシ、アセチルオキシ、ピバロイルオキシ、ステアロイルオキシ、ベンゾイルオキシ、ｐ−メトキシフェニルカルボニルオキシ等）、カルバモイルオキシ基（好ましくは、炭素数１〜３０の置換もしくは無置換のカルバモイルオキシ基、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシ等）、
【００３２】
アルコキシカルボニルオキシ基（好ましくは、炭素数２〜３０の置換もしくは無置換アルコキシカルボニルオキシ基、例えば、メトキシカルボニルオキシ、エトキシカルボニルオキシ、ｔ−ブトキシカルボニルオキシ、ｎ−オクチルカルボニルオキシ等）、アリールオキシカルボニルオキシ基（好ましくは、炭素数７〜３０の置換もしくは無置換のアリールオキシカルボニルオキシ基、例えば、フェノキシカルボニルオキシ、ｐ−メトキシフェノキシカルボニルオキシ、ｐ−ｎ−ヘキサデシルオキシフェノキシカルボニルオキシ等）、
【００３３】
アミノ基（好ましくは、炭素数１〜３０の置換もしくは無置換のアルキルアミノ基、炭素数６〜３０の置換もしくは無置換のアニリノ基、例えば、アミノ、メチルアミノ、ジメチルアミノ、アニリノ、Ｎ−メチル−アニリノ、ジフェニルアミノ等）、アシルアミノ基（好ましくは、炭素数１〜３０の置換もしくは無置換のアルキルカルボニルアミノ基、炭素数６〜３０の置換もしくは無置換のアリールカルボニルアミノ基、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノ）、アミノカルボニルアミノ基（好ましくは、炭素数１〜３０の置換もしくは無置換のアミノカルボニルアミノ、例えば、カルバモイルアミノ、Ｎ，Ｎ−ジメチルアミノカルボニルアミノ、Ｎ，Ｎ−ジエチルアミノカルボニルアミノ、モルホリノカルボニルアミノ等）、アルコキシカルボニルアミノ基（好ましくは、炭素数２〜３０の置換もしくは無置換アルコキシカルボニルアミノ基、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノ等）、アリールオキシカルボニルアミノ基（好ましくは、炭素数７〜３０の置換もしくは無置換のアリールオキシカルボニルアミノ基、例えば、フェノキシカルボニルアミノ、ｐ−クロロフェノキシカルボニルアミノ、ｍ−ｎ−オクチルオキシフェノキシカルボニルアミノ等）、スルファモイルアミノ基（好ましくは、炭素数０〜３０の置換もしくは無置換のスルファモイルアミノ基、例えば、スルファモイルアミノ、Ｎ，Ｎ−ジメチルアミノスルホニルアミノ、Ｎ−ｎ−オクチルアミノスルホニルアミノ等）、アルキルおよびアリールスルホニルアミノ基（好ましくは、炭素数１〜３０の置換もしくは無置換のアルキルスルホニルアミノ、炭素数６〜３０の置換もしくは無置換のアリールスルホニルアミノ、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノ等）、
【００３４】
メルカプト基、アルキルチオ基（好ましくは、炭素数１〜３０の置換もしくは無置換のアルキルチオ基、例えば、メチルチオ、エチルチオ、ｎ−ヘキサデシルチオ等）、アリールチオ基（好ましくは、炭素数６〜３０の置換もしくは無置換のアリールチオ、例えば、フェニルチオ、ｐ−クロロフェニルチオ、ｍ−メトキシフェニルチオ等）、ヘテロ環チオ基（好ましくは、炭素数２〜３０の置換または無置換のヘテロ環チオ基、例えば、２−ベンゾチアゾリルチオ、１−フェニルテトラゾール−５−イルチオ等）、スルファモイル基（好ましくは、炭素数０〜３０の置換もしくは無置換のスルファモイル基、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ’−フェニルカルバモイル）スルファモイル等）、スルホ基、アルキルおよびアリールスルフィニル基（好ましくは、炭素数１〜３０の置換または無置換のアルキルスルフィニル基、炭素数６〜３０の置換または無置換のアリールスルフィニル基、例えば、メチルスルフィニル、エチルスルフィニル、フェニルスルフィニル、ｐ−メチルフェニルスルフィニル等）、アルキルおよびアリールスルホニル基（好ましくは、炭素数１〜３０の置換または無置換のアルキルスルホニル基、炭素数６〜３０の置換または無置換のアリールスルホニル基、例えば、メチルスルホニル、エチルスルホニル、フェニルスルホニル、ｐ−メチルフェニルスルホニル等）、
【００３５】
アシル基（好ましくは、炭素数２〜３０の置換または無置換のアルキルカルボニル基、炭素数７〜３０の置換もしくは無置換のアリールカルボニル基、炭素数４〜３０の置換もしくは無置換の炭素原子でカルボニル基と結合しているヘテロ環カルボニル基、例えば、アセチル、ピバロイル、２−クロロアセチル、ステアロイル、ベンゾイル、ｐ−ｎ−オクチルオキシフェニルカルボニル、２−ピリジルカルボニル、２−フリルカルボニル）、アリールオキシカルボニル基（好ましくは、炭素数７〜３０の置換もしくは無置換のアリールオキシカルボニル基、例えば、フェノキシカルボニル、ｏ−クロロフェノキシカルボニル、ｍ−ニトロフェノキシカルボニル、ｐ−ｔ−ブチルフェノキシカルボニル等）、アルコキシカルボニル基（好ましくは、炭素数２〜３０の置換もしくは無置換アルコキシカルボニル基、例えば、メトキシカルボニル、エトキシカルボニル、ｔ−ブトキシカルボニル、ｎ−オクタデシルオキシカルボニル等）、カルバモイル基（好ましくは、炭素数１〜３０の置換もしくは無置換のカルバモイル、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイル等）、
【００３６】
アリールおよびヘテロ環アゾ基（好ましくは、炭素数６〜３０の置換もしくは無置換のアリールアゾ基、炭素数３〜３０の置換もしくは無置換のヘテロ環アゾ基、例えば、フェニルアゾ、ｐ−クロロフェニルアゾ、５−エチルチオ−１，３，４−チアジアゾール−２−イルアゾ等）、イミド基（好ましくは、Ｎ−スクシンイミド、Ｎ−フタルイミド等）、
【００３７】
ホスフィノ基（好ましくは、炭素数２〜３０の置換もしくは無置換のホスフィノ基、例えば、ジメチルホスフィノ、ジフェニルホスフィノ、メチルフェノキシホスフィノ等）、ホスフィニル基（好ましくは、炭素数２〜３０の置換もしくは無置換のホスフィニル基、例えば、ホスフィニル、ジオクチルオキシホスフィニル、ジエトキシホスフィニル等）、ホスフィニルオキシ基（好ましくは、炭素数２〜３０の置換もしくは無置換のホスフィニルオキシ基、例えば、ジフェノキシホスフィニルオキシ、ジオクチルオキシホスフィニルオキシ）、ホスフィニルアミノ基（好ましくは、炭素数２〜３０の置換もしくは無置換のホスフィニルアミノ基、例えば、ジメトキシホスフィニルアミノ、ジメチルアミノホスフィニルアミノ等）、シリル基（好ましくは、炭素数３〜３０の置換もしくは無置換のシリル基、例えば、トリメチルシリル、ｔ−ブチルジメチルシリル、フェニルジメチルシリル等）を挙げることができる。
【００３８】
上記の置換基の中で、水素原子を有するものは、これを取り去り更に上記の置換基で置換されていてもよい。そのような置換基の好ましい例としては、アルキルカルボニルアミノスルホニル基、アリールカルボニルアミノスルホニル基、アルキルスルホニルアミノカルボニル基、アリールスルホニルアミノカルボニル基が挙げられる。その例としては、メチルスルホニルアミノカルボニル、ｐ−メチルフェニルスルホニルアミノカルボニル、アセチルアミノスルホニル、ベンゾイルアミノスルホニル基が挙げられる。
【００３９】
また、脂肪族基における置換アラルキル基のアリール部分の置換基の例としては、下記置換アリール基の置換基の例と同様である。
【００４０】
本明細書において、「芳香族基」は、アリール基および置換アリール基を意味する。また、これらの芳香族基は、脂肪族環、他の芳香族環、またはヘテロ環が縮合していてもよい。アリール基の炭素数は６〜４０が好ましく、６〜３０がより好ましく、６〜２０が更に好ましい。その中でも、アリール基としては、フェニル基またはナフチル基であることが好ましく、フェニル基が特に好ましい。
【００４１】
置換アリール基のアリール部分は、前記アリール基と同様である。置換アリール基の置換基の例としては、先に置換アルキル基、置換アルケニル基、置換アルキニル基、および置換アラルキル基のアルキル部分の置換基の例として挙げたものと同様である。
【００４２】
前記一般式（Ｉ）中、Ｒ１１１、Ｒ１１２、Ｒ１２１、Ｒ１２２、Ｒ１３１およびＲ１３２は、各々独立に、耐光性、熱堅牢性、湿熱堅牢性の点で、好ましくは、水素原子、置換もしくは無置換のアルキル基、置換もしくは無置換のアルケニル基、置換もしくは無置換のアルキニル基、置換もしくは無置換のアリール基であり、より好ましくは、水素原子、炭素数１〜２０の置換もしくは無置換のアルキル基、炭素数２〜２０の置換もしくは無置換のアルケニル基、炭素数２〜２０の置換もしくは無置換のアルキニル基、または炭素数６〜２０の置換もしくは無置換のアリール基であり、更に好ましくは、炭素数１〜１０の置換もしくは無置換のアルキル基、炭素数２〜１０の置換もしくは無置換のアルケニル基、または炭素数６〜１０の置換もしくは無置換のアリール基であり、更に好ましくは、炭素数１〜８の置換もしくは無置換のアルキル基、炭素数６〜８の置換もしくは無置換のアリール基であり、最も好ましくは、炭素数２〜６の置換もしくは無置換のアルキル基である。
【００４３】
また、一般式（Ｉ）で表される化合物は、色相の点で、Ｒ１１１、Ｒ１１２、Ｒ１２１、Ｒ１２２、Ｒ１３１およびＲ１３２のうち少なくとも１つが異なる、すなわち中心の窒素原子に結合する３つのフェニル基のうちの１つが異なるか、あるいは全てが異なる場合が好ましく、更に好ましくは、中心の窒素原子に結合する３つのフェニル基のうちの１つが異なる場合である。本発明における一般式（Ｉ）で表される化合物の極大吸収波長を、所望の極大吸収波長へ容易に変更することができる。
【００４４】
前記一般式（Ｉ）中、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６は、各々独立に、耐光性、熱堅牢性、湿熱堅牢性の点で、好ましくは、水素原子、ハロゲン原子、アルキル基、アルケニル基、アルキニル基、アリール基、シアノ基、ヒドロキシ基、カルボキシ基、アルコキシ基、アリールオキシ基、シリルオキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキルおよびアリールスルホニルアミノ基、メルカプト基、アルキルチオ基、アリールチオ基、スルファモイル基、スルホ基、アルキルおよびアリールスルフィニル基、アルキルおよびアリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、またはシリル基であり、更に好ましくは、水素原子、ハロゲン原子、アルキル基、アルケニル基、アリール基、シアノ基、ヒドロキシ基、カルボキシ基、アルコキシ基、アリールオキシ基、シリルオキシ基、アミノ基、アルキルチオ基、アリールチオ基、イミド基、またはシリル基であり、更に好ましくは、水素原子、ハロゲン原子、アルキル基、アリール基、アルコキシ基、アリールオキシ基、シリルオキシ基、またはアミノ基である。中でも、最も好ましくは、水素原子、またはアルキル基である。
これらの好ましい基は、置換もしくは無置換のいずれであってもよい。
【００４５】
また、色相の点では、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６のうち少なくとも１つが異なる、すなわち中心の窒素原子に結合する３つのフェニル基のうちの１つが異なるか、あるいは全てが異なる場合が好ましく、更に好ましくは、中心の窒素原子に結合する３つのフェニル基のうちの１つが異なる場合である。これより、本発明における一般式（Ｉ）で表される化合物の極大吸収波長を、所望の極大吸収波長へ容易に変更することができる。
【００４６】
前記一般式（Ｉ）中、より高い耐光性、熱堅牢性、湿熱堅牢性を得る点から、Ｒ１３１とＲ１３２とが同時に、４位に−ＮＲ１４１Ｒ１４２で表される基を有するフェニル基となることはない。ここで、Ｒ１４１およびＲ１４２は、各々独立に、水素原子、脂肪族基、または芳香族基を表す。Ｒ１４１、Ｒ１４２で表される脂肪族基および芳香族基は、前記Ｒ１１１、Ｒ１１２、Ｒ１２１、Ｒ１２２、Ｒ１３１またはＲ１３２の説明において述べた脂肪族基および芳香族基と同義であり、それらの好ましい範囲も同様である。
【００４７】
また、一般式（Ｉ）において、Ｒ１１３とＲ１１４、Ｒ１１４とＲ１１１、Ｒ１１１とＲ１１２、Ｒ１１２とＲ１１５、Ｒ１１５とＲ１１６、Ｒ１１６とＲ１２３、Ｒ１２３とＲ１２４、Ｒ１２４とＲ１２１、Ｒ１２１とＲ１２２、Ｒ１２２とＲ１２５、Ｒ１２５とＲ１２６、Ｒ１２６とＲ１３３、Ｒ１３３とＲ１３４、Ｒ１３４とＲ１３１、Ｒ１３１とＲ１３２、Ｒ１３２とＲ１３５、Ｒ１３５とＲ１３６およびＲ１３６とＲ１１３は、互いに連結して環を形成してもよい。環を形成することにより、耐光性、耐熱性、および耐湿熱性が良好なトリアリールアミン誘導化合物となり、溶解性の点でも有効である。
【００４８】
前記一般式（Ｉ）において、Ｘは、１価または２価の無機もしくは有機の陰イオンを表し、ｎは１または２を表す。Ｘの価数とｎとの積は２となる関係を有する。
前記Ｘは、１価の陰イオンである、過塩素酸イオン（ＣｌＯ４−）、ヘキサフルオロアンチモン酸イオン（ＳｂＦ６−）、ヘキサフルオロリン酸イオン（ＰＦ６−）、テトラフルオロホウ酸イオン（ＢＦ４−）、および下記一般式（II）〜（IV）のいずれかで表される陰イオン等、並びに２価の陰イオンである、硫酸イオン（ＳＯ４２−）等が含まれる。
【００４９】
中でも、耐光性、熱堅牢性および湿熱堅牢性の点で、有機イオンの場合は下記一般式（II）〜（IV）のいずれかで表される陰イオンより選択される１種が好ましい。更に、過塩素酸イオン、ヘキサフルオロアンチモン酸イオン、ヘキサフルオロリン酸イオン、テトラフルオロホウ酸イオンも好ましい。
【００５０】
【化３】
2008261809.tif 000004
【００５１】
【化４】
2008261809.tif 000005
【００５２】
【化５】
2008261809.tif 000006
【００５３】
前記一般式（II）〜（IV）中、Ｒ２１１、Ｒ２１２、Ｒ３１１、Ｒ３１２、Ｒ４１１、Ｒ４１２およびＲ４１３は、各々独立に、脂肪族基、芳香族基、またはヘテロ環基を表す。ここで、Ｒ２１１、Ｒ２１２、Ｒ３１１、Ｒ３１２、Ｒ４１１、Ｒ４１２、またはＲ４１３で表される脂肪族基、芳香族基は、Ｒ１１１、Ｒ１１２、Ｒ１２１、Ｒ１２２、Ｒ１３１またはＲ１３２の説明において述べた脂肪族基、芳香族基とそれぞれ同義であり、好ましい態様も同様である。また、Ｒ２１１、Ｒ２１２、Ｒ３１１、Ｒ３１２、Ｒ４１１、Ｒ４１２またはＲ４１３で表されるヘテロ環基は、前記置換アルキル基、前記置換アルケニル基、前記置換アルキニル基および前記置換アラルキル基のアルキル部分の置換基の説明で述べたヘテロ環基と同義であり、好ましい範囲も同様である。
これより、より良好な耐湿熱性を有する赤外線吸収性のトリアリールアミン誘導化合物とすることができる。
【００５４】
Ｘが前記一般式（II）〜（IV）のいずれかで表される陰イオンである場合、一般式（II）〜（IV）において、Ｒ２１１、Ｒ２１２、Ｒ３１１、Ｒ３１２、Ｒ４１１、Ｒ４１２およびＲ４１３は、好ましくは、アルキル基、アルケニル基、アルキニル基、アリール基またはヘテロ環基であり、更に好ましくは、炭素数１〜２０のアルキル基、炭素数２〜２０のアルケニル基、炭素数２〜２０のアルキニル基、または炭素数６〜２０のアリール基であり、更に好ましくは、炭素数１〜１０のアルキル基、炭素数２〜１０のアルケニル基、または炭素数６〜１０のアリール基であり、更に好ましくは、炭素数１〜８のアルキル基、または炭素数６〜８のアリール基であり、最も好ましくは炭素数２〜６のアルキル基である。
中でも、耐湿熱性の点で、Ｒ２１１、Ｒ２１２、Ｒ３１１、Ｒ３１２、Ｒ４１１、Ｒ４１２およびＲ４１３は、各々独立に、ＣｎＦ２ｎ＋１で表されるパーフルオロアルキル基であることが好ましい。ここで、ｎは１〜６の整数を表す。
【００５５】
上記のうち、好ましいＸは、耐光性、耐熱性、および耐湿熱性が良好で、溶解性も良好である点で、ヘキサフルオロアンチモン酸イオン、ヘキサフルオロリン酸イオン、または、Ｒ２１１、Ｒ２１２、Ｒ３１１、Ｒ３１２、Ｒ４１１、Ｒ４１２およびＲ４１３が各々独立に炭素数が２〜６の基である場合における一般式（II）〜（IV）のいずれかで表される陰イオンであり、より好ましいＸは、ヘキサフルオロアンチモン酸イオン、またはＲ２１１、Ｒ２１２、Ｒ３１１、Ｒ３１２、Ｒ４１１、Ｒ４１２およびＲ４１３が各々独立にＣｎＦ２ｎ＋１で表されるパーフルオロアルキル基（ｎ＝１〜６）である場合における一般式（II）〜（IV）で表される陰イオンであり、更に好ましいＸは、ヘキサフルオロアンチモン酸イオン、またはＲ２１１、Ｒ２１２、Ｒ３１１、Ｒ３１２、Ｒ４１１、Ｒ４１２およびＲ４１３がＣＦ３である一般式（II）〜（IV）で表される陰イオンであり、特に好ましいＸは、ヘキサフルオロアンチモン酸イオン、またはＲ２１１およびＲ２１２がＣＦ３である一般式（II）で表される陰イオンであり、最も好ましいＸはヘキサフルオロアンチモン酸イオンである。
【００５６】
前記一般式（Ｉ）で表される化合物は、耐光性、耐熱性および耐湿熱性が良好である点で、Ｒ１１１、Ｒ１１２、Ｒ１２１、Ｒ１２２、Ｒ１３１およびＲ１３２が各々独立に水素原子、アルキル基またはアリール基であって、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６が各々独立に水素原子、アルキル基またはアルコキシ基であって、Ｒ２１１、Ｒ２１２、Ｒ３１１、Ｒ３１２、Ｒ４１１、Ｒ４１２およびＲ４１３が各々独立にアルキル基またはアリール基である場合が好ましく、Ｒ１１１、Ｒ１１２、Ｒ１２１、Ｒ１２２、Ｒ１３１およびＲ１３２が各々独立に炭素数２〜６のアルキル基であって、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６が水素原子であって、Ｒ２１１、Ｒ２１２、Ｒ３１１、Ｒ３１２、Ｒ４１１、Ｒ４１２およびＲ４１３が各々独立に炭素数１〜６のパーフルオロアルキル基である場合がより好ましい。
【００５７】
更に、本発明においては、Ｒ１１１、Ｒ１１２、Ｒ１２１、Ｒ１２２、Ｒ１３１およびＲ１３２の全てが炭素数２〜６の分岐アルキル基であって、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６が水素原子であって、Ｒ２１１、Ｒ２１２、Ｒ３１１、Ｒ３１２、Ｒ４１１、Ｒ４１２およびＲ４１３が炭素数１〜６のパーフルオロアルキル基である場合も好ましく、また、Ｒ１１１、Ｒ１１２、Ｒ１２１、Ｒ１２２、Ｒ１３１およびＲ１３２の少なくとも１つが炭素数２〜６のシアノ基を有するアルキル基であって、Ｒ１１３、Ｒ１１４、Ｒ１１５、Ｒ１１６、Ｒ１２３、Ｒ１２４、Ｒ１２５、Ｒ１２６、Ｒ１３３、Ｒ１３４、Ｒ１３５およびＲ１３６が水素原子であって、Ｒ２１１、Ｒ２１２、Ｒ３１１、Ｒ３１２、Ｒ４１１、Ｒ４１２およびＲ４１３が各々独立に炭素数１〜６のパーフルオロアルキル基である場合も好ましい。これらの場合、パーフルオロアルキル基のハロゲン原子がフッ素原子であることがより好ましい。
【００５８】
本発明における一般式（Ｉ）で表される化合物は、構造とその置かれた環境によって互変異性体を取りうる。本明細書においては、代表的な形の一つを挙げて説明したが、本明細書の記載と異なる互変異性体も本発明における一般式（Ｉ）で表される化合物に包含される。
【００５９】
以下、前記一般式（Ｉ）で表される化合物の具体例（例示化合物Ｉ−１〜Ｉ−６０）を示すが、本発明はこれらに限定されるものではない。
【００６０】
【化６】
2008261809.tif 000007
【００６１】
【化７】
2008261809.tif 000008
【００６２】
【化８】
2008261809.tif 000009
【００６３】
【化９】
2008261809.tif 000010
【００６４】
【化１０】
2008261809.tif 000011
【００６５】
【化１１】
2008261809.tif 000012
【００６６】
前記一般式（Ｉ）で表される化合物（Ｘが一般式（II）〜（IV）で表される場合を含む）は、例えば、デア・ドイチェン・ヘミッシェン・ゲゼルシャフト、９２巻、２４５−２５１ページ（１９５９年）および特開２００６−１４３，６７４号公報に記載の方法を参考にして合成することが可能である。
【００６７】
ここで、一般式（Ｉ）で表される化合物の合成例として例示化合物（Ｉ−１１）を合成した場合を一例に示す。
ＤＭＦ４０ｍｌ中にトリス（４−ジ（ｎ−ブチル）アミノフェニル）アミン５ｇを完溶させ、６０℃にて加熱攪拌した。そこにビス（トリフルオロメタンスルホニル）イミド銀塩１５ｇを加え、６０℃にて３時間加熱攪拌する。反応液をろ過して不溶解成分を除去した後、反応液に水２００ｍｌを加えて析出した結晶をろ過した。得られた結晶を水洗、乾燥して、例示化合物（Ｉ−１１）を得た。
【００６８】
前記一般式（Ｉ）で表される化合物は、以下の用途〔下記（ａ）〜（ｃ）〕において赤外線吸収剤（Infra-red Absorbers：ＩＲＡ）として特に有用である。
【００６９】
（ａ）入熱系（Heat Input System）：
例えば、ＩＲＡを含むトナーを用い、ＩＲＡが存在することによって潜在的なトナー画像（潜像）のレーザー誘導固定が促進される電子写真システム、ＩＲＡを含む感光層を有するリソグラフィック・プリント・プレートを用い、感光層中にＩＲＡが存在することによってプリントプレート上のレーザー誘導画像の形成が促進されるプリントプレート製造システム、および溶接周辺でレーザー誘導の熱発生がＩＲＡの存在によって促進されるポリマー溶接（polymer welding）システムなどの、赤外線に暴露することによって特定の位置での入熱が好適に行なえる系に有用である。
【００７０】
本発明においては、リソグラフィック印刷プレートを製造する場合に、前記一般式（Ｉ）で表される化合物を含む感光層に、パターン情報に従って赤外線レーザーを照射する。一般式（Ｉ）で表される化合物を含むので、赤外線（好ましくは７５０〜１５００ｎｍ、特に８００〜１０００ｎｍの電磁スペクトルの近赤外線）の吸収効率が高く、また、経時で赤外吸収効率が損なわれて感度低下するのが抑制される。
【００７１】
また、本発明においては、ポリマーの溶接にあたり、前記一般式（Ｉ）で表される化合物を用い、溶接を形成するのが望ましい領域でポリマー材料に赤外線レーザーを照射する。ここで、ポリマー材料が前記一般式（Ｉ）で表される化合物を含む。該ポリマー材料は、溶接を形成するのが望ましい化合物（一般式（Ｉ）で表される化合物）でコーティング若しくは印刷されているか、あるいは溶接を形成するのが望ましいポリマー材料に隣接して配置された層もしくはフィルムに一般式（Ｉ）で表される化合物を含有させて提供される。このポリマー材料は、ポリマー材料中に前記一般式（Ｉ）で表される化合物を押し出すことによって該化合物を含むことができる。一般式（Ｉ）で表される化合物は、押出または溶液沈積（solution deposition）によって、前記フィルム内に取り込ませることができる。一般式（Ｉ）で表される化合物を用いるので、赤外線が照射されるとこれを吸収して良好に発熱してポリマー間の溶接が良好に行なえると共に、溶接を容易にかつ長期にわたり安定的に行なうことが可能である。
【００７２】
（ｂ）ＩＲ照射保護系（IR Radiation Protection System）：
例えば、ビルや車用の耐熱性ソーラー・グレージング（solar glazing）、サンバイザーおよび溶接用ゴーグルなど、ＩＲの照射作用から保護するために入射光から赤外線を吸収するのに好適に用いられる系に有用である。
【００７３】
本発明の熱線遮断材は、一般式（Ｉ）で表される化合物を含むものである。遮断材の例として、上記のような耐熱性ソーラー・グレージング、サンバイザー、溶接用ゴーグルなどが挙げられる。例えば、前記一般式（Ｉ）で表されるＩＲＡを、グレージングの一部を形成する層またはグレージングに取り込ませることによって、ＩＲＡが耐熱性、耐湿熱性に優れので、入射ＩＲが照射されたときの熱作用に対してグレージング構造体（glazed structure）の内部を保護することができる。
【００７４】
また、サンバイザーおよび溶接用ゴーグルなどにおいて、保護フィルムの一部を形成する層または保護フィルムに前記一般式（Ｉ）で表されるＩＲＡを取り込むことによって、（バイザーやゴーグルの接眼レンズなどの）光透過性の保護フィルムを通して通過するＩＲ照射を減衰させることができる。この場合、一般式（Ｉ）で表されるＩＲＡは、耐光性、耐熱性、耐湿熱性に優れるので、長期にわたってＩＲの減衰効果を維持することができる。
【００７５】
（ｃ）検出／取り扱い系（Detection/Handling System）：
例えば、ＩＲＡでドープした薬剤の動きの追跡、赤外線画像での熱シグナルの増強、故障検出、例えばＩＲＡの溶液に浸漬させて行なう亀裂の検出、ＩＲＡでマークした物品の自動検出および／または取り扱い、例えば郵便物の選別またはスーパーマーケット操作での値段および関連情報の機械による読み取り等、医療処置で使用するための機械で検出可能なＩＲまたは熱エネルギー信号を提供または増強する等に用いられる系に有用である。
【００７６】
本発明の画像検出方法は、赤外線を照射して走査することによって製品表面に付された画像を検出するものであり、その画像に前記一般式（Ｉ）で表される化合物を含有する。本発明においては、ＩＲＡとして前記一般式（Ｉ）で表される化合物を含む画像を赤外線検出器で赤外線走査（スキャン）することによって、被検体である製品の表面に付された画像（superficial image）を検出する。一般式（Ｉ）で表される化合物を含むので、赤外線、好ましくは７５０〜１５００ｎｍ、特に８００〜１０００ｎｍの電磁スペクトルの近赤外線の吸収効率が高く、また、経時で赤外吸収効率が損なわれて検出精度が低下するのが抑制される。
【００７７】
画像形成の一例として、トナーが前記一般式（Ｉ）で表されるＩＲＡを含み、このトナーを用いて、支持体上に一時的なトナー画像を固定し、および／または、ＩＲ読み取り可能な永続的なトナー画像を提供することができる。そして、このトナー画像を提供するために、ＩＲ供給源を含む電子写真デバイスを用い、支持体上に永続的なトナー画像を形成することができる。
【００７８】
また、本発明のシグナル変換方法は、前記一般式（Ｉ）で表される化合物を用いて、熱シグナルを強化された熱シグナルに変換し、または光シグナルを熱シグナルに変換する。本発明においては、赤外線照射により熱シグナルを得る場合に、熱シグナルが誘導されるプロセス媒体または物品に、ＩＲＡとして前記一般式（Ｉ）で表される化合物を組み込むことによって、プロセスまたは物品などからの熱シグナルを増強させることができる（画像強化系）。
【００７９】
また、ＩＲＡとして前記一般式（Ｉ）で表される化合物を含有する液体を固体に適用し、その中のＩＲＡの存在に関して前記固体を検査することによって、ＩＲ透過性固体（permeable solid）にＩＲを通して固体を検出することができる。
【００８０】
特に郵便物およびスーパーマーケット商品などの物品を自動的に認識し、取り扱い、および／または、分類するのに使用するのに好適である。物品に前記一般式（Ｉ）で表されるＩＲＡを含む画像を付しておくことにより、前記画像を赤外線を照射して走査したときに発生する反射シグナルを機械で読み取って目的とする物品を認識し、取り扱い、および／または、分類することができる。ＩＲＡとして前記一般式（Ｉ）で表される化合物を含むので、赤外線、好ましくは７５０〜１５００ｎｍ、特に８００〜１０００ｎｍの電磁スペクトルの近赤外線の吸収効率が高く、また、経時で赤外吸収効率が損なわれて検出精度が低下するのが抑制される。
【００８１】
上記の用途において、ＩＲＡを物品等の表面に適用する場合、ＩＲＡを液体媒体に溶解または分散させてＩＲＡ含有液とし、塗布やインクジェット法による吐出、印刷方法を使用して、表面に該ＩＲＡ含有液を付与することによって実施することができる。
ＩＲＡ含有液として、例えば、前記一般式（Ｉ）で表される化合物を含むインクを用いることができる。
【００８２】
インクは、着色剤を更に用いて構成することができる。着色剤およびＩＲＡの両方がインク媒体に溶解しているインクは、一般に、紙およびカードなどの吸収性材料を用いたインクジェット記録に適している。
【００８３】
インクは、上記以外にさらに、アルコキシル化もしくはポリアルコキシル化アクリレートモノマー、および光開始剤を用いて、光硬化性に構成することができる。
【００８４】
前記一般式（Ｉ）で表される化合物は、特に、安全保証のマーク（security marking）またはラベルを形成するために、支持体および物品の一部または全面にインクまたはトナーを用いる印刷プロセスまたは電子写真プロセスで好適に用いることができる。この場合、印刷および電子写真に使用するインクまたはトナー等に含有することができる。インクまたはトナー等は、一般式（Ｉ）で表される化合物のほか、インクやトナー等に一般に用いられる成分を用いることにより構成することが可能である。
【００８５】
前記一般式（Ｉ）で表される化合物を含有するインクやトナーは、以下に示すように、偽造品および不正行為の検出用のセキュリティ・プリンティング（security printing）用途で使用することができる。プリント方法は、好ましくは、下記のオフセット印刷、グラビア印刷、インクジェット記録、凹版印刷、および凸版印刷から選択することができる。また、一般式（Ｉ）で表される化合物は、電子写真トナー、マトリックス、またはデイジーホイール（daisy-wheel）プリンターインク、および非衝撃印刷（non-impact printing）法でも使用することができる。
【００８６】
前記一般式（Ｉ）で表される化合物は、製品または支持体の真偽を証明する方法にも好適に用いられる。すなわち、本発明の製品または支持体の真偽を証明する方法は、物品または支持体に、例えば印刷法などの種々の方法によって一般式（Ｉ）で表される化合物を含む（インクなどで形成した）マーク（セキュリティ・マーカー（安全保障マーカー））を付し、付されたマークに赤外線を照射して特徴的な吸収を検出および／または測定する過程を設ける。この過程では、前記一般式（Ｉ）で表される化合物による赤外吸収を検出、測定することにより、固有種（例えば製品の種類や真偽）の識別や偽造の確認、防止を行なうことができる。そして、一般式（Ｉ）で表される化合物が用いられるので、検出、測定精度に優れ、長期にわたり安定的に検出等が行なえる。
【００８７】
前記支持体の例としては、一般に紙、ラグペーパー、好ましくは流通グレードの紙（currency grade paper）、プラスチックコーティング紙、またはラミネート紙、並びにプラスチック（例えば銀行カードグレードのＰＶＣ）、またはプラスチック紙（例えば不織プラスチック紙）などが挙げられる。
前記物品の例としては、書類、パッケージング、または印刷されたマークが設けられた製品（goods）、例えば銀行券、銀行券縫い糸（banknote thread）、通貨、トラベラーズチェック、証書、証明書、切手（印紙）、インスタントくじ、所有権証明書（ownership document）、パスポート、ＩＤカード、クレジットカード、チャージカード（charge card）、アクセスカード、スマートカード（smart card）、ブランド証明ラベル、およびタグ、並びに不正開封防止ラベルなどが挙げられる。
【００８８】
前記物品または支持体に前記一般式（Ｉ）で表される化合物でマークを付け、このマークによって赤外線照射時における特徴的な吸収を、例えば標準的な分光学法によって検出および／または測定することによって、物品または支持体の信頼性を証明、確立することができる。
【００８９】
前記一般式（Ｉ）で表される化合物は、書類、通貨、ジュエリー、および不織布（bonded material）などの貴重品、例えば燃料およびアルコール性飲料、並びにコンピューター制御ロックおよびアラームなどの安全保障マークにおいて、機械で検出可能なＩＲ識別番号または作動シグナル（actuation signal）を提供するのが望ましい場合に使用することができる。
【００９０】
以下、上記の用途（ａ）〜（ｃ）について更に詳細に説明する。
（ａ）入熱系
−ｉ）トナー−
トナーとして、バインダー樹脂、着色剤および前記一般式（Ｉ）で表されるＩＲＡを含有するフラッシュ固定トナー（flash fixing toner）が好適に挙げられる。ここで、一般式（Ｉ）で表されるＩＲＡの含有量としては、トナーの総質量に対して約０．０１〜５．０質量％（より好ましくは０．１〜３．０質量％）が好ましい。このＩＲＡは、トナー粒子のマトリックスを形成するバインダー樹脂と好適に分散（または溶解）する。
【００９１】
前記バインダー樹脂は、フラッシュ固定トナー（flash fixing toner）で使用するのに適切な任意の樹脂、例えば、ポリスチレン類；スチレンと（メタ）アクリル酸エステル、アクリロニトリル若しくはマレイン酸エステルとのコポリマー；ポリ（メタ）アクリル酸エステル類；ポリエステル類；ポリアミド類；エポキシ樹脂；フェノール樹脂；炭化水素樹脂；および石油樹脂が挙げられ、これらは単独でまたは他の樹脂もしくは添加剤と組み合わせて用いることができる。好ましいバインダー樹脂は、ビスフェノールＡおよびエピクロロヒドリンのポリエステル樹脂、エポキシ樹脂である。
【００９２】
前記着色剤は、フラッシュ固定トナーで使用するのに適切な任意のものであってよい。例えば、クローム・イエロー、カドミウム・イエロー、イエロー酸化鉄（yellow iron oxide）、チタン・イエロー、ナフトール・イエロー、ハンザ・イエロー（Hanza yellow）、顔料イエロー、ベンジジン・イエロー、パーマネント・イエロー、キノリン・イエロー、アントラピリミジン・イエロー、パーマネント・オレンジ、モリブデン・オレンジ、バルカン・ファスト・オレンジ（vulcan fast orange）、ベンジジン・オレンジ、インダンスリーン・ブリリアント・オレンジ、酸化鉄、琥珀、パーマネントブラウン、ローズ・アイアン・オキシド・レッド（rose iron oxide red）、アンチモン粉末、パーマネント・レッド、ファイアー・レッド（fire red）、ブリリアント・カーマイン、ライト・ファスト・レッド・トナー（light fast red toner）、パーマネント・カーマイン、ピラゾロン・レッド、ボルドー（Bordeaux）、ヘリオ−ボルドー（helio-Bordeaux）、ローダミン・レーキ、ＤｕＰｏｎｔオイル・レッド、チオインディゴ・レッド、チオインディゴ・マロン、ウォッチング・レッド・ストロンチウム（watching red strontium）、コバルト・パープル、ファスト・バイオレット、ジオキサン・バイオレット、メチル・バイオレット・レーキ、メチレン・ブルー、アニリン・ブルー、コバルト・ブルー、セルレアン・ブルー、カルコ・オイル・ブルー（chalco oil blue）、非金属フタロシアニン・ブルー、フタロシアニン・ブルー、ウルトラマリン・ブルー、インダントレン・ブルー、インディゴ、クローム・グリーン、コバルト・グリーン、顔料グリーンＢ、グリーン・ゴールド、フタロシアニン・グリーン、マラカイト・グリーン・オキサレート、およびポリクロモ−ブロモ銅フタロシアニンなどの各種顔料および着色剤が挙げられる。
着色剤の量は、広範囲を選択し得るが、前記バインダー樹脂１００質量部に対して、３〜５質量部の範囲が好ましい。
【００９３】
フラッシュ固定トナーは、他の成分、例えば、ワックス（蝋）、電荷制御剤（charge control agent）、および／または、易流動剤（flow-enhancer）を含むことができる。
前記ワックスは、ポリオレフィンタイプまたは天然ワックス、例えばカルナウバワックス、モンタンワックスおよび天然パラフィン、ポリエチレン、ポリプロピレン、ポリブチレン、エチレン−プロピレンコポリマー、エチレン−ブテンコポリマー、エチレン−ペンテンコポリマー、エチレン−３−メチル−１−ブテンコポリマー並びに、オレフィン類と他のモノマー、例えばビニルエステル類、ハロ−オレフィン類、（メタ）アクリル酸エステル、および（メタ）アクリル酸または誘導体とのコポリマーであってもよい。ワックスの重量平均分子量は、１，０００〜４５，０００ダルトンであるのが好ましい。
【００９４】
前記電荷制御剤の例としては、ニグロシン（nigrosine）、モノアゾ染料、亜鉛、ヘキサデシルスクシネート、ナフトエ酸のアルキルエステル若しくはアルキルアミド、ニトロフミン酸、Ｎ，Ｎ−テトラメチルジアミンベンゾフェノン、Ｎ，Ｎ−テトラメチルベンジジン、トリアジン類およびサリチル酸の金属錯体が挙げられる。黒以外の着色剤の場合には、電荷制御剤が実質的に無色であるのが好ましい。
【００９５】
前記易流動性剤の例としては、無機物質、例えば、コロイダルシリカ、疎水性シリカ、疎水性チタニア、疎水性ジルコニアおよびタルクの微粒子、並びに有機物質、例えばポリスチレンビーズおよび（メタ）アクリル酸ビーズの微粒子が挙げられる。
【００９６】
ＩＲＡがバインダー樹脂に可溶性または分散可能である場合、カップリング剤およびＩＲＡ（並びに上記の任意の他の成分）をコンパウンドし、共に混練りするのが好ましい。得られた混合物を冷却し、粉砕化した後、粒子を分類する。
【００９７】
−ii）化学的に製造されたトナー−
前記一般式（Ｉ）で表されるＩＲＡは、化学的に製造したトナーと配合して用いることができる。このトナーは、バインダー樹脂として種々の分子量のポリマーを使用して分子量分布とトナー溶融レオロジー特性とを制御しようとする場合には、好適な一種以上のポリマー、ポリマーの混合物を含むことができる。
【００９８】
適切なポリマーの例としては、スチレン−アクリレートコポリマー類、スチレン−ブタジエンコポリマー類、ポリエステル類および炭化水素樹脂がある。このトナーは着色剤を配合して、印刷した支持体、電荷制御剤上に着色した画像を提供し、融合ローラーから剥離し易いように電荷およびワックスの取り込みを促進することができる。ここで、前記着色剤としては、顔料（ＩＲＡによる赤外線の吸収を干渉しないものであればよい。磁性顔料を含む。）、および染料がある。前記電荷制御剤としては、金属錯体、例えば、Ｚｎ、Ａｌ、ＦｅまたはＣｒ、およびポリマー材料、例えばフェノール性ポリマーの錯体などを含む。前記ワックスとしては、炭化水素ワックス、例えばパラフィン、ポリエチレン若しくはポリプロピレンワックス、一酸化炭素および水素から誘導したワックス、例えばフィッシャー−トロプシュ（Fischer-Tropsch）ワックス、天然製品ワックス、例えばカルナウバワックス、並びに合成ワックス、例えばエステルまたはアミドワックスが挙げられる。トナーは、界面活性剤（surface additive）、例えばシリカ、チタニア、アルミナ若しくはポリマー粒子を含んで、流動性、帯電性能または転送特性を制御することもできる。
【００９９】
−iii）オフセット印刷プレート−
オフセット印刷プレートは、通常、支持体と該支持体の表面に形成された感光層とを有する記録材料から製造され、赤外線の照射によって感光層に所望のパターンを形成することができる。記録材料の例として、ＩＲＡを含む感光層を有し、この感光層に所定のパターン情報に従って通常はレーザーからＩＲ放射線を照射して所望パターンを形成する記録材料がある。本発明のリソグラフィック印刷プレートの製造方法においては、感光層に含有するＩＲＡとして、前記一般式（Ｉ）で表される化合物を用いる。前記一般式（Ｉ）で表される化合物は、約８３０ｎｍに主な放射ピークをもつ市販の固体レーザーダイオードなど、７５０ｎｍ〜１０００ｎｍの波長範囲に放出ピークを持つＩＲレーザーを用いてパターン形成を行なう記録材料に好適である。オフセット印刷プレート用の記録材料の例としては、米国特許第６，２９４，２９８号明細書および本明細書中に記載の文献に記載されたものが挙げられるが、本発明はこれたに制限されるものではない。
【０１００】
−iv）レーザー溶接−
本発明のポリマーの溶接方法は、ポリマーのレーザー溶接に係るものであり、溶接に前記一般式（Ｉ）で表される化合物を用いる。
レーザー溶接の一例として、英国特許（ＧＢ−Ａ）第２，２７６，５８４号明細書に開示されたものがある。ここでは、（二つの物体の間の接触領域を画定している）接触している二つの隣接表面に保持されている熱可塑性材料の二つの本体（その一方は実質的に赤外線（ＩＲ）照射に対して透明であり、且つ他方は実質的に該照射に対して不透明である）を、透明体を通して赤外線照射により接触領域の不透明体の表面を照射することによって接触領域の両方の物体の表面を互いに融合することによって、接触領域の赤外線不透明体による赤外線吸収と発生した熱伝達とによって共に接合する温度まで加熱することにより、該二つの物体を共に溶接する方法である。
不透明な熱可塑性材料の赤外線不透明度（infra-red opacity）は、本発明における前記一般式（Ｉ）で表される化合物を添加することによって増強させることができる。
【０１０１】
この方法を用いることによって、赤外線不透明体（熱可塑性パイプ）は、パイプの周りに赤外線透明体（繊維強化熱可塑性テープまたはフィルム）の１以上の層を巻き付けることによって半径方向に強化することができる。この熱可塑性テープは、パイプが加圧下で搬送される際に、ねじれの力のバランスを取るために反対のテープで２つ１組で巻くと都合がよい。テープはそれぞれ次の溶接段階の間に、これらの間で確実に溶接が形成されるように、テープとパイプとが密着する張力下で巻かれる。対（２つ１組）の第一のテープはパイプに直接適用し、第二のテープは溶接段階でこれらに融合するように、パイプに対して両方のテープをしっかりと保持するのに十分な張力下で第一のテープの上部に適用する。１枚ずつまたは対のさらなるテープは、第一の対の上部に巻いてさらに強化することができる。通常、それぞれのテープはポリエチレンから構成され、テープの縦に伸張し、且つその幅にわたっても均等に分布している多くの強化用繊維を含む。それぞれの繊維は、好都合には、アラミドなどの適切な強化用材料の微細フィラメントの束から構成されている。あるいは、パイプは、テープの強度がテープの長さの軸に対して並行であるように、パイプの長さに沿って強化用テープを適用することによって縦方向に強化することができる。
これらのいずれの例においても、繊維強化熱可塑性テープは実質的にＩＲ透明体を構成し、熱可塑性パイプはＩＲ不透明体を構成し、融合溶接部はテープを通して外部からパイプにＩＲ照射することによって形成し、テープの内部表面とパイプの外部表面との間の接触層に隣接する熱可塑性材料の層を融合させる。
【０１０２】
本発明における前記一般式（Ｉ）で表される化合物は、公知の他のＩＲレーザー溶接法における放射線吸収添加剤として使用することができる。
【０１０３】
（ｂ）ＩＲ照射保護系
−耐熱性グレージング−
前記一般式（Ｉ）で表される化合物は、下記の１．および２．のいずれかを含む例えば米国特許第６，０４９，４１９号明細書に記載された、光学体（optical body）の波長隙間充填成分（wavelength gap-filling component：ＷＧＦＣ）として使用することができる。
１．（ａ）フィルムに対して通常の入射角で少なくとも一つの偏光の赤外線を反射するように配置された反射帯域をもつ偏光子、鏡、またはその両方であってもよい複屈折誘電性多層フィルム（ここで、前記反射帯域は、通常の入射角における短波長帯域端（bandedge）λａ0と長波長帯域幅λｂ0、並びに最大使用角度θにおける短波長帯域端λａθと長波長帯域端λｂθを持ち、ここで前記λａθはλａ０よりも小さく、かつλａ０は約７００ｎｍよりも大きな波長に選択的に配置されている）、および
（ｂ）通常の入射角度でλａθとλａ0との間の波長領域で放射線を少なくとも一部吸収または反射する成分（ＷＧＦＣ）、
２．（ａ）フィルムに対して通常の入射角で少なくとも一つの偏光の赤外線を反射するように配置された反射帯域をもつ等方性誘電性多層フィルム（ここで、前記反射帯域は、通常の入射角における短波長帯域端λａ0と長波長帯域端λｂ0、並びに最大使用角度θにおける短波長帯域端λａθと長波長帯域端λｂθを持ち、ここで前記λａθはλａ0よりも小さく、かつλａ0は約７００ｎｍよりも大きな波長に選択的に配置されている）、および
（ｂ）通常の入射角度でλａθとλａ0との間の波長領域で放射線を少なくとも部分的に吸収または反射する成分（ＷＧＦＣ）
【０１０４】
この光学体は、スペクトルの赤外線領域で優れた反射性と、通常の入射角で優れたシェーディング率（shading coefficient）を提供しつつ、全ての望ましい入射角度で可視光を伝達する。
【０１０５】
このＷＧＦＣは、非通常入射角（non-normal incidence）で感知される着色変化を最小化するために、フィルムの反射帯域を高波長側へシフトさせる必要性のため、通常の角度によっては反射されない赤外線波長を吸収または反射するように機能する。フィルムに対するＷＧＦＣの位置に依存して、好ましくはＷＧＦＣの吸収または反射の波長と一致することにより反射帯域が低波長へシフトするので非通常角度では機能しない可能性がある。このＷＧＦＣは、フィルム層の一つ以上に組み込むか、または光学体の別若しくは別個の部分、すなわちラミネート化によってこれらに付着し得るフィルム（ａ）由来の別の層に組み込むことができる。このタイプでは、ＷＧＦＣ（すなわちＩＲＡ）は、フィルム（ａ）に付着した別個の層に組み込まれる。このＷＧＦＣは、組み合わされるフィルムの特徴に依存して、フィルムの一部であっても、フィルムと分離していてもよい。
【０１０６】
フィルム（ａ）およびＷＧＦＣ（ｂ）は、太陽エネルギーを吸収するよりも太陽エネルギーを反射するのにより効率的であるため、フィルムが実用的であるように太陽に最も近い表面に配置するように組み合わせることができる。可能であれば、太陽光が最初にフィルムに、次にＷＧＦＣにぶつかるのが好ましい。複合ガラスまたは二重風防ガラスでは、フィルムに関して最も好ましい配置は、太陽に最も近い外側であり、次に好ましい位置は窓ガラスまたは重ね層（ｐｌｙ）の間である。このフィルムは内部表面にも配置できるが、それによりガラスによって太陽光が吸収されてから光がフィルムに到達して、フィルムによって反射された光の一部を吸収してしまう。太陽から離れてフィルムを配置するのが好ましいかもしれないが、ＵＶに対して感受性の低い成分に光のこの部分を吸収させることができるので、この配置はＵＶ保護の観点から考えたときに好ましい。
【０１０７】
ＷＧＦＣ（ＩＲＡ）は、フィルムに対してラミネートされたポリマー、例えばポリカーボネート若しくはアクリルなどのポリマーまたはガラスの層にフィルム（ａ）の表面を適用するか、またはフィルムのポリマー層の少なくとも一つに配合することができる。太陽エネルギーの観点から、太陽が高い角度にあるときにフィルムの反射性帯域が低波長シフトして、本質的に染料のλｍａｘ領域と一致するので、ＷＧＦＣはフィルムの最も内側の表面（すなわち、内部に向かって且つ太陽から離れた位置）にあるのが好ましい。この場合は、フィルムから離れて太陽エネルギーを反射する方が吸収するよりも好適である。光学体に用いるＷＧＦＣの量は、ＩＲＡの特徴的な性質および最終用途に依存して変動し得る。通常、フィルム表面に適用するとき、ＩＲＡは所望の赤外線を吸収し外観を呈するのに適切な濃度およびコーティング厚さで表面上に存在させる。通常、ＩＲＡが追加の層内または多層光学体の中にある場合、その濃度は、光学体の総質量に対して約０．０５〜約０．５％の範囲が好ましい。その粒径は、入射光の波長よりも小さい程度までＩＲＡが微粉砕されているのが非常に望ましい。ＩＲＡが非極性溶媒溶解性で且つ熱安定性である場合、これは固体のプラスチックペレットと共にコーティングまたは混合して、押し出すことができる。
【０１０８】
しかしながら、前記一般式（Ｉ）で表されるＩＲＡは、このタイプの光学体での使用にのみ限定されるものではなく、同様の目的、すなわちＩＲ放射線の減衰の任意の他の光学体で使用することができる。
【０１０９】
（ｃ）検出／取り扱い系
本発明の画像検出方法においては、画像に前記一般式（Ｉ）で表される化合物を含有し、赤外線を照射して走査することによって製品表面に付された画像を検出する。この一般式（Ｉ）で表される化合物を介して、赤外線シグナルまたは熱シグナルを検出し、または検出すべき物品に付された画像からの赤外線シグナルまたは熱シグナル（画像中のＩＲＡの存在により強調された熱シグナル）の強度を測定することができる。これより、在庫記録または会計のためのデータの取り扱い、またはシグナル情報に従って物品を操作するための自動取り扱い等を行なうことができる。
【０１１０】
−ｉ）画像強化系（Image Enhancement System）−
熱的シグナルの強度を強化するために、ＩＲＡを含有する。材料とその環境（surrounding）との間に熱エネルギーの差を作り、かつ検出するための方法の１つは、
（１）ＩＲＡとして前記一般式（Ｉ）で表される化合物を前記材料および／またはその環境に添加し、
（２）前記材料および／またはその環境を入力エネルギーに暴露して、サーマルイメージ（thermal image）を作り、次いで、
（３）前記材料および／またはその環境の温度変化を、サーマルイメージ検出器によって測定する過程を含む。
ＩＲＡは、これらの間のコントラストを高めるために、材料だけ、あるいは材料の環境だけに添加するのが好ましい。
【０１１１】
ＩＲＡは、固体形、溶液若しくは分散液、またはエーロゾルを形成するために気化若しくは噴霧化させて、目的の部位または画像形成するための部位に実質的に方向付けることができる。方向付けは、特定の目的部位に関してＩＲＡの自然の親和性（natural affinity）によって実施しても、またはキャリヤを使用する場合には目標とされた画像プロセスによって実施することができ、これは抗体若しくは他の同様の系などのベクターを含むことができる。また、ＩＲＡは、目標領域に直接設置することができる。あるいは、方向付けは、例えば、ＩＲＡの固有の溶解性、ｐＨまたは脂質／水区画を制御することによって目標領域に実質的に残存するように、ＩＲＡの移動性を制限することによって行なえる。
【０１１２】
材料には、ヒト若しくは動物の身体、植物若しくは他の草木（vegetation）、建物若しくは工業的構造物、自動車および、航空移動における用途または支持体、例えばぼろ紙、プリンター品質の紙、通貨グレードの紙、プラスチックコーティングもしくはラミネート紙、または書類もしくはパッケージング用に通常使用される他の支持体を含む紙などの任意の一部が含まれる。
【０１１３】
入力エネルギーは、電子エネルギーの放射線供給源、具体的には赤外線が用いられ、７５０〜１５００ｎｍの波長光が好ましく、特に８００〜１０００ｎｍの電磁スペクトルの近赤外線が好ましい。典型的な放射線供給源としては、近赤外線領域に実質的な部分をもつ発光スペクトルをもつ単純なハロゲンバルブ、発光ダイオード（Light Emitting Diode：ＬＥＤ）およびＩＲ半導体レーザー、例えばＧａＡｌＡｓレーザー（７８５ｎｍでの発光）が挙げられる。
照射時間は、シグナルの強度に干渉する直接加熱をせずに、最適な画像を与えるように適切に選択することができる。
【０１１４】
前記サーマルイメージ検出器は、サーマル・イメージ・カメラ（例えば、Therma CAM（登録商標）ＳＣ１０００カメラ、FLIR Systems, Boston、米国製）など、材料および／またはその環境の間またはその内部での熱エネルギーの差を検出し、かつ好ましくは記録し得る任意のデバイスであってもよい。サーマル・イメージ・カメラは、１．５〜１５ミクロン、より好ましくは３．４〜５ミクロンの間の波長の光に対して感受性の電荷結合素子（charge couple device：ＣＣＤ）を含むものが好ましい。画像操作およびデータ取り扱いは、Thermoteknix Systems Limited、Cambridge、英国製のTermagram（登録商標）ＰＲＯ９５ソフトウエアなど、適当なコンピューターソフトウェアを使用して行なえる。
【０１１５】
ＩＲＡは、ＩＲＡと液体媒体とを含む組成物の形態で材料および／またはその環境に好適に添加できる。このＩＲＡは液体媒体に溶解または分散することができる。
液体媒体としては、水、水と有機溶媒との混合物、および水を含まない有機溶媒が挙げられる。水と有機溶媒との混合物中に含まれる有機溶媒は、水混和性の有機溶媒またはそのような溶媒の混合物であるのが好ましい。好ましい水混和性の有機溶媒としては、アルコール類、より具体的にはメタノール、エタノール、ジメチルスルホキシド、環式アミド類、特に２−ピロリドン、Ｎ−メチルピロリドンおよびＮ−エチル−ピロリドン、ジオール類、特に１，５−ペンタンジオール、エチレングリコール、チオジグリコール、ジエチレングリコールおよびトリエチレングリコール、並びにジオール類のモノ−Ｃ１−４−アルキルおよびＣ１−４−アルキル−エーテル類、より好ましくは、２〜１２個の炭素原子をもつジオール類のモノ−Ｃ１−４−アルキルエーテル類、特に２−メトキシ−２−エトキシ−２−エトキシエタノールが挙げられる。
【０１１６】
被検体となる画像は、物品にインク、特に前記一般式（Ｉ）で表される化合物を（ＩＲＡ）を含むＵＶ硬化可能なインクを適用することによって形成することができる。
【０１１７】
−ii）ＵＶ硬化可能なインク−
ＵＶ硬化可能なインクとしては、米国特許第６，１１４，４０６号に記載の、アルコキシル化またはポリアルコキシル化アクリレートモノマー、光開始剤、および着色剤を含むインクなどを挙げることができる。好ましいＵＶ硬化可能なインクは、ＵＶ硬化可能なインクジェット組成物であってもよく、全組成物に対して、多官能性アルコキシル化および／またはポリアルコキシル化アクリレートモノマー８０〜９５質量％、ＩＲＡおよび所望により着色剤を含んでいてもよい。
【０１１８】
アクリレートモノマー、光開始剤、ＩＲＡおよび着色剤の量は、特定の装置および用途に従って変動し得る。光開始剤の量は、全組成物の１〜１５質量％が好ましい。
多官能性アルコキシル化またはポリアルコキシル化アクリレートモノマーとしては、１種以上のジ−若しくはトリ−アクリレートを含むことができ、あるいはより高い官能性のアルコキシル化またはポリアルコキシル化アクリルモノマーを、単独でまたは１種以上の２官能および／または３官能性材料と共に使用することができる。アルキレンオキシ基の数は、モノマー１分子当たり１〜２０個であるのが好ましく、そのような基はそれぞれ、Ｃ２−４−アルキレンオキシ、特にエチレンオキシ（ＥＯ）またはプロピレンオキシ（ＰＯ）が好ましい。
【０１１９】
前記多官能性アルコキシル化またはポリアルコキシル化アクリレートは、例えば、ネオペンチルグリコールジアクリレート、ブタンジオールジアクリレート、トリメチルプロパントリ−アクリレート、グリセリルトリアクリレートのアルコキシル化、好ましくはエトキシル化またはプロポキシル化付加物が挙げられる。
【０１２０】
インクは、単官能性アルコキシル化またはポリアルコキシル化アクリレートモノマー、例えば、テトラヒドロフルフリルアクリレート、シクロヘキシルアクリレート、アルキルアクリレート、ノニル−フェノールアクリレート、ポリエチレン−若しくはポリプロピレン−グリコールアクリレートの１種以上のアルコキシル化、特にエトキシル化またはプロポキシル化付加物を１０質量％以下含むことができる。
【０１２１】
インクは、非−アルコキシル化単官能性または多官能性の放射線硬化可能なモノマー、例えば、オクチルアクリレート、デシルアクリレート、Ｎ−ビニルピロリドン、エチルジグリコールアクリレート、イソボロニルアクリレート、エチル−ヘキシルアクリレート、ラウリルアクリレート、ブタンジオールモノアクリレート、β−カルボキシエチルアクリレート、ｉ−ブチルアクリレート、ポリプロピレングリコールモノメタクリレート、２−ヒドロキシエチルメタクリレート、ヘキサンジオールジ（メタ）アクリレート、テトラエチレングリコールジアクリレート、トリプロピレングリコールジアクリレート、ブタンジオールジアクリレート、ポリエチレングリコールジアクリレート、トリエチレングリコールジメタクリレートを５質量％以下含むこともできる。
【０１２２】
市販の光開始剤の例としては、キサントン類、チオキサントン類、ベンゾフェノン類、キノン類、およびホスフィンオキシド類が挙げられる。一次光開始剤（primary photoinitiator）と共に共同開始剤（co-initiator）を配合し得る。共同開始剤の例としては、アミン類およびアミノベンゾエート類がある。インクが一次開始剤および共同開始剤を含む場合、総量は、上記の光開始剤の好ましい範囲内であることが好ましい。アミノベンゾエートおよびアクリル化アミン共同開始剤は、キサントンおよび／またはチオキサントン一次光開始剤と共に使用するのが好ましい。
【０１２３】
前記「放射線硬化可能（radiation curable）」なる語は、組成物がＵＶ照射の適用によって硬化可能であることを意味する。そのような組成物は、実質的に無色で硬化可能なワニス（varnish）若しくは基剤（base）であるか、組成物が着色剤（すなわち、可視または関連する光学的特性、例えば蛍光を提供する材料）を含んでいる場合、インクであってもよい。着色剤を配合する場合、インクは全質量に対して着色剤１〜１０質量％を含むことが好ましい。
【０１２４】
前記着色剤は、二つの種類、すなわち（ａ）インク組成物に実質的に可溶性な染料と（ｂ）適切な分散剤を用いて、微細粒子の形状でインク組成物中に分散された顔料とに分けられる。典型的な顔料としては、Ｐｉｇｍｅｎｔ  Ｒｅｄ  ５７：１、Ｐｉｇｍｅｎｔ  Ｒｅｄ  ５２：２、Ｐｉｇｍｅｎｔ  Ｒｅｄ  ４８：２、Ｐｉｇｍｅｎｔ  Ｂｌｕｅ  １５：３、Ｐｉｇｍｅｎｔ  Ｇｒｅｅｎ  ７、Ｐｉｇｍｅｎｔ  Ｙｅｌｌｏｗ  ８３、Ｐｉｇｍｅｎｔ  Ｙｅｌｌｏｗ  １３、およびＰｉｇｍｅｎｔ  Ｗｈｉｔｅ  ６などが挙げられる。着色剤がカーボンブラックである場合またはカーボンブラックを含む場合、カーボンブラックはスペクトルのＩＲ領域に強い吸収があるので、通常ＩＲＡは添加する必要はない。
【０１２５】
インクは、他の少量成分、例えば界面活性剤、レベリング添加剤（levelling additive）、光開始剤安定剤、湿潤剤および顔料安定化剤も含むことができる。後者のものとしては、特に高分子量ブロックコポリマーの形態の例えばポリエステル、ポリウレタンまたはポリアクリレートタイプであってもよく、通常は顔料の２．５〜１００質量％程度配合される。具体的な例としては、Ｄｉｓｐｅｒｂｙｋ  １６１または１６２（ＢＹＫ  Ｃｈｅｍｉｅ社製）およびＳｏｌｓｐｅｒｓｅ  ｈｙｐｅｒｄｉｓｐｅｒｓａｎｔ（Ａｖｅｃｉａ社製）がある。前記光開始剤安定化剤としては、欧州特許（ＥＰ−Ａ）第０４６５０３９号明細書に開示のものが挙げられる。前記界面活性剤としては、非−イオン性、例えばＦｌｕｏｒａｄ  ＦＣ４３０（３Ｍ  Ｃｏｒｐ．製）がある。（配合する場合には）界面活性剤は、インクの全質量の０．１〜１０質量％の範囲が好ましい。
【０１２６】
インクまたはワニスは、実質的にまたは全く有機溶媒を含まないことが好ましい。したがって、有機溶媒の量は全質量の１０質量％未満の好ましく、５質量％未満がより好ましく、１質量％未満が特に好ましく、特に０．１質量％未満が好ましい。
【０１２７】
前記一般式（Ｉ）で表される化合物は、ＵＶ硬化可能なインクでの使用のみに限定されるものではなく、可溶性または分散可能である任意の他のＵＶ硬化可能なインクで使用することができる。
【０１２８】
（iii）安全保障系（セキュリティシステム）
−ａ）リソグラフィック印刷用インク−
リソグラフィック印刷用インクは、少なくとも、前記一般式（Ｉ）で表される化合物と、例えばフェノール性樹脂またはマレイン酸−変性ロジンエステル樹脂のカルボキシル基にポリエポキシドをグラフト化することによって製造された架橋樹脂とを、少なくとも１２個の炭素原子をもつ脂肪族アルコールで可溶化させたものが挙げられる。
【０１２９】
前記フェノール性樹脂またはマレイン酸−誘導ロジンエステル樹脂は、約１，５００〜３，０００の数平均分子量を持つのが好ましい。このポリエポキシドはジエポキシドであるのが好ましく、より好ましくは芳香族または脂環式ジエポキシドであり、特にビスフェノールＡジエポキシドが好ましい。このポリエポキシドの分子量は５６０ダルトン以下が好ましく、１００〜５００ダルトンがより好ましく、特に３００〜５００ダルトンである。
【０１３０】
フェノール性樹脂またはマレイン酸−誘導ロジンエステル樹脂は、好ましくは４つの成分、（ａ）ポリオール、（ｂ）１塩基性脂肪族カルボン酸、（ｃ）ロジン若しくは変性ロジン、および（ｄ）ポリカルボン酸および／またはその無水物の反応生成物であるのが好ましい。ポリオールは、好ましくはチオールであり、例としてトリメチロールエタン、トリメチロールプロパン、グリセロールおよびヘキサントリオールがある。好ましい１塩基性脂肪族カルボン酸は、約８個〜２０個の炭素原子を持ち、例としてステアリン酸、ラウリン酸、パルミチン酸、オレイン酸および精製トールオイル脂肪酸がある。好ましいロジンおよび変性ロジンは、トールオイルロジン、ウッドロジン、水素化ロジンおよび脱水素化ロジンから選択される。ポリカルボン酸または無水物は、脂肪族または芳香族であってもよく、例として無水フタル酸、無水トリメリット酸、無水テトラヒドロフタル酸、無水マレイン酸、イソフタル酸、フマル酸およびこれらの混合物が挙げられる。
【０１３１】
フェノール性樹脂またはマレイン酸−変性ロジン樹脂は、二段階プロセスによって製造することができる。第一の段階では、ポリオール、１塩基性脂肪族カルボン酸、およびロジンまたは変性ロジンを約２５０℃〜２９０℃の温度、好ましくは約２６０℃〜２８０℃の温度で反応させて、約１〜１０の酸性度指数（acid number）とする。第二の段階では、これにポリカルボン酸または無水物を添加し、反応を約１５０℃〜２２０℃、好ましくは約１７０℃〜２００℃の温度で継続し、約２０〜９０、好ましくは約２０〜５０の酸性度指数とする。その結果、１塩基性脂肪族カルボン酸基の全てとロジンカルボン酸基の殆どが約２５０℃〜２９０℃で反応し、懸垂基として芳香族カルボン酸を約１５０℃〜２２０℃で添加する。
【０１３２】
インク樹脂上にポリエポキシドをグラフトさせることによって得られたポリマー油状物を不溶性のままにし、これによってスクワレン（皮脂）耐性を促進し、優れたヒートセット乾燥（heatset drying）のために溶媒を放出させ易くする。架橋樹脂はやや溶解しにくいので、少なくとも１２個の炭素原子、好ましくは１２〜２４個の炭素原子、より好ましくは１２〜１３個の炭素原子をもつ脂肪族アルコール、例えばNeodol 23（Shell Oil Co.製）を配合することによって溶液中に保持する。
【０１３３】
高速のリソグラフィック・ウェブ印刷に必要なインクローラー安定性を達成するために、Magie 470およびMagie 500（Magie Brothers Oil Company、9101 Fullerton Ave.,Franklin Park, Ill製の炭化水素溶媒）などの高沸点石油蒸留液ワニス溶媒（high boiling petroleum distillate varnish solvent）も含有する。この脂肪族アルコールは、溶媒中で樹脂を安定化させるために使用する。溶解性のバランスが、熱乾燥プロセスおよび紙への吸着の間にアルコールが幾らか蒸発することによって影響を受けると、樹脂は溶液から沈殿し、インクフィルムを乾燥して触れるようにする。より多くのアルコールが蒸発すると、インクはより早く乾燥する。アルコールの適正量は、印刷プロセスの間に乾燥せずにプレスの印刷ローラー内をインクが移動し且つ紙に印刷できるような量である。
【０１３４】
前記一般式（Ｉ）で表される化合物（ＩＲＡ）は、インクの総質量に対して、約０．０１〜５．０質量％が好ましく、より好ましくは約０．１〜３．０質量％である。
ＩＲＡは、物品または支持体などに付与した後、物品または支持体などに赤外線検出器によって赤外線照射したときにのみ検出可能な赤外線吸収性インクを形成できる。
【０１３５】
インクが着色剤を含む場合、印刷されたパターンは視覚的に検出可能であるが、印刷された支持体は同様の方法で、ＩＲＡを含有しないインクで印刷された支持体と区別可能である。この着色剤は、多様な慣用の有機または無機の顔料のいずれも使用でき、例えばモリブデートオレンジ（molybdate orange）、チタンホワイト、フタロシアニンブルー、およびカーボンブラックがある。着色剤の量は、インクの総質量に対して、約５〜３０質量％が好ましい。
【０１３６】
インクには、変性剤、例えば、可塑剤；着色剤用の湿潤剤；レベリング剤、例えばラノリン、パラフィンワックス、および天然ワックス；スリップ剤（slip agent）、例えば低分子量ポリエチレン類および微結晶質石油ワックスも配合することができる。変性剤は、インクの総質量に対して、約３質量％以下が好ましく、より好ましくは約１質量％を変動する量で使用できる。他の成分も慣用的にインクおよびコーティングに使用して、接着性、強靱性を変性し、他の基本性質も使用することができる。
【０１３７】
リソグラフィック印刷用インクは、公知の分散方法に従って混合およびフィルタープロセスなどによる、例えばスリーロール・ミルなどの任意の方法により調製することができる。インクは、任意の公知かつ慣用方法にて、支持体、好ましくは紙に適用することができる。
【０１３８】
−ｂ）溶媒ベースのインクジェット記録用（ＩＪＰ）インク−
溶媒ベースのインクジェット記録用インクは、少なくとも、前記一般式（Ｉ）で表される化合物と、少なくとも一種の芳香族スルホンアミドまたはヒドロキシ安息香酸エステルとを、有機溶媒に溶解して含むものが挙げられる。
【０１３９】
前記芳香族スルホンアミドは、好ましくは所望により置換されたトルエンスルホンアミド、例えばｐ−トルエンスルホンアミド、Ｎ−エチル−ｐ−トルエンスルホンアミド、Ｎ−ブチル−ｐ−トルエン−スルホンアミドおよびＮ−シクロヘキシル−ｐ−トルエンスルホンアミドである。この芳香族スルホンアミドは、好ましくは０．１〜４０質量％の量で有機溶媒ベースのＩＪＰインクに配合されるのが好ましい。
【０１４０】
前記ヒドロキシ安息香酸エステルは、好ましくはアルキルエステル、特に６〜１２個の炭素原子を含有するもの、例えば２−エチルヘキシルｐ−ヒドロキシベンゾエートおよびｎ−ノニルｐ−ヒドロキシ−ベンゾエートである。ヒドロキシ安息香酸エステルは、０．１〜４０質量％の量で有機溶媒ベースのＩＪＰインクに配合されるのが好ましい。
【０１４１】
芳香族スルホンアミドおよびヒドロキシ安息香酸エステルは、高い極性をもっているので、非常に効果的に染料の結晶化を阻害する。
前記一般式（Ｉ）で表される化合物（ＩＲＡ）は、インクの総質量に対して、約０．０１〜５．０質量％が好ましく、より好ましくは約０．１〜３．０質量％である。
ＩＲＡは、物品または支持体などに付与した後、物品または支持体などに赤外線検出器によって赤外線照射したときにのみ検出可能な赤外線吸収性インクを形成できる。
【０１４２】
インクが着色剤を含む場合、記録したパターンは視覚的に検出可能であるが、記録した支持体は同様の方法により、ＩＲＡを含まないインクで記録した支持体と区別可能である。着色剤は、有機溶媒に可溶な任意の染料または、前記芳香族スルホンアミド若しくはヒドロキシ安息香酸エステルであってもよい。通常、有用な染料としては、アゾ染料、金属錯体塩染料、ナフトール染料、アントラキノン染料、インディゴ染料、カルボニウム染料、キノイミン染料、シアニン染料、キノリン染料、ニトロ染料、ニトロソ染料、ベンゾキノン染料、ナフトキノン染料、ナフタルイミド染料、ペリノン（perinone）染料、およびフタロシアニン染料が挙げられる。これらの染料は、１種単独でまたは２種以上を組み合わせて使用することができる。
染料の含有量は、インクの総質量に対して、０．１〜１０質量％の範囲が好ましく、より好ましくは０．５〜５質量％の範囲である。
【０１４３】
ＩＪＰインクで使用する有機溶媒のタイプは、幾らか特定の染料または染料混合物に依存する。しかしながら、殆どの染料は極性があるので、高極性溶媒は良溶媒として機能し、極性の高くない溶媒は貧溶媒として機能する。したがって、染料を溶解する高い能力をもつ高極性溶媒が、ＩＪＰインクの製造には好ましい。しかしながら、極性の低い溶媒も芳香族スルホンアミド若しくはヒドロキシ安息香酸エステルと混合、またはより高い極性の溶媒と組み合わせれば使用することもできる。ＩＪＰインクで使用し得る有機溶媒の具体例としては、脂肪族炭化水素類；ナフテン性炭化水素類；芳香族炭化水素類、例えば１置換もしくは２置換アルキルナフタレン類、ビフェニル類、キシリルエタンおよびフェネチルクメンのアルキル誘導体；グリコール類；グリコール類のモノ−若しくはジ−アルキルエーテル類およびグリコール類のエステル類；脂肪酸およびそのエステル類；含窒素化合物、例えばアミドおよびピロリドン化合物が挙げられる。ＩＪＰインクの製造に使用し得る有機溶媒はこれらに制限されるものではない。
【０１４４】
溶媒としては、蒸発が少ないことおよび乾燥速度の観点から、沸点が高ければ高いことが好ましい。しかし、高い沸点をもつ溶媒を用いた場合、円滑に溶媒を放出させるのが困難な粘稠なインクとなる傾向がある。他方、低い沸点をもつ溶媒は、ノズルオリフィスで早く乾燥しすぎるインクとなる傾向がある。したがって、所望の粘度および沸点を持つ溶媒は、インクの乾燥を防ぐために、プリントヘッドによって採用される尺度に鑑みて選択すべきである。
【０１４５】
−ｃ）グラビア／凹版模様印刷用インク−
凹版模様（intaglio）印刷用のグラビアインクとしては、前記一般式（Ｉ）で表される化合物、樹脂、揮発性溶媒、および（好ましくは酸化防止剤または酸化防止剤組成物から構成されるインクビヒクル中に分散された）微粉砕顔料を用いて構成することができる。
【０１４６】
グラビアインク用の樹脂は、溶媒および印刷すべき支持体並びに印刷物の最終用途に依存する。グラビアタイプのものを含む、インク製造に適した樹脂の例は、“Synthetic Resins”、Werner Husen著、The American Ink Maker、1952年6月、63頁、および“Synthetic Resins for Inks”、John P.Petrone著、The American Ink Maker、第49巻、1971年3月〜10月に記載がある。有用な樹脂としては、ロジンおよび変性ロジン類、例えばカルシウムおよび亜鉛樹脂酸塩（resinate）およびこれらの変異形が挙げられる。他の適した樹脂として、
（ａ）石油樹脂またはシクロペンタジエン樹脂の種々の変性品
これらの例は、米国特許第３，０８４，１４７号明細書および英国特許第１，３６９，３７０号明細書に記載されている。
（ｂ）特許第４７９９４／７２号に記載の、安定な粘度と優れた印刷性を誘導し得る能力を持つ、軟化点１４５℃の変性樹脂（この変性樹脂は、石油の熱分解から得られる分解油から１４０℃〜２２０℃の沸点の留分を集め、フリーデル−クラフツ触媒を使用して留分を重合して軟化点１６０℃の樹脂を得、この樹脂を不飽和カルボン酸またはその無水物と、樹脂１００ｇ当たり０．０１〜０．４モルの量で反応させ、次いで上記不飽和カルボン酸または無水物１モル当たり０．２〜２．０モルの量で一価アルコールを使用して得られた樹脂をエステル化することによって得られる）
が挙げられる。
【０１４７】
前記揮発性溶媒は、脂肪族若しくは脂環式炭化水素、例えばヘキサン、ヘプタンおよびシクロヘキサンまたは芳香族炭化水素、例えばキシレン、トルエン（例えばトルソール：tolusol 25）、高フラッシュ（high flush）ナフサ、ベンゼンおよびクロロベンゼンであってもよい。他の溶媒としては、炭素数１〜４のアルカノール類、炭素数１〜５のアルカノール類のアセテート、１１５℃〜１８０℃のＢＰをもつグリコールエーテル類、炭素数１〜５の脂肪族ケトン類およびシクロヘキサノンが挙げられる。樹脂は、溶媒に可溶性でかつこれらから分離が容易でなければならない。グラビアインクの乾燥は、溶媒の蒸発に起因するので、インクビヒクルは本質的に樹脂と溶媒である。樹脂および溶媒の特定の組み合わせに依存して、種々のタイプのビヒクルを使用することができる。
【０１４８】
前記酸化防止剤の好ましいものは、フェノール性酸化防止剤またはアミン酸化防止剤であり、前記酸化防止剤組成物の好ましいものは、フェノール性酸化防止剤とアミン酸化防止剤との混合物である。好ましい酸化防止剤組成物は、フェノール性酸化防止剤を約１０〜約９０質量％、より好ましくは約２５〜約７５質量％含み、アミン酸化防止剤を約９０〜１０質量％、より好ましくは約７５〜２５質量％含む。
【０１４９】
前記アミン酸化防止剤としては、例えば、オクチル化ジフェニルアミン、イソプロポキシジフェニルアミン、ジフェニルアミンとアセトンとのアルドール−α−ナフチルアミン縮合生成物、Ｎ，Ｎ’−ジフェニル−ｐ−フェニレンジアミン、フェニル−β−ナフチルアミン、重合化１，２−ジヒドロ−２，２，４−トリメチルキノリン、Ｎ，Ｎ’−ジ（２−オクチル）−ｐ−フェニレンジアミン、他の芳香族アミン類、ジフェニルアミン類およびこれらの混合物が挙げられる。前記フェノール性酸化防止剤としては、例えば、４，４’−イソプロピリデン−ジフェノール、スチレン化フェノール、ヒンダードフェノール、４，４’−チオビス（６−ｔ−ブチル−ｏ−クレゾール）、ｐ−ブチルフェノール、ｐ−（ｉ−プロピル）フェノール、２，４−ジメチル−６−オクチルフェノール、２，６−ジ−ｔ−ブチル−４−メチルフェノール、２，６−ジ−ｔ−ブチル−４−エチルフェノール、２，６−ジ−ｔ−ブチル−４−ｎ−ブチルフェノール、２，２’−メチレンビス−（４−メチル−６−ｔ−ブチルフェノール）、２，２’−メチレンビス（４−エチル−６−ｔ−ブチル−フェノール）、２，４−ジメチル−６−ｔ−ブチルフェノール、４−ヒドロキシメチル−２，６−ジ−ｔ−ブチルフェノール、ｎ−オクタデシル−ベータ（３，５−ジ−ｔ−ブチル−４−ヒドロキシフェニル）プロピオネート、これらの混合物などが挙げられる。好ましいフェノール性酸化防止剤は、立体的に混み合ったフェノール類である。
【０１５０】
酸化防止剤または酸化防止剤組成物を含む凹版模様印刷用のグラビアインクは、慣用の方法にて製造することができる。例えば、樹脂１００質量部と、酸化防止剤または酸化防止剤組成物１質量部とを高沸点石油溶媒２００質量部以下に溶解させてインクビヒクルを製造する。好ましい溶媒、例えばトルエン７０質量％、キシレン４質量％とラクトール蒸留分（lactol spirit）２６質量％との混合物は、（３５〜４５のカウリブタノール値：Kauri butanol valueをもつ脂肪族溶媒と対照的に）約１０５のカウリブタノール値をもつ。
【０１５１】
前記一般式（Ｉ）で表される化合物（ＩＲＡ）は、グラビアインクの総質量に対して、約０．０１〜５．０質量％、好ましくは約０．１〜３．０質量％の範囲で分散液としてインクビヒクルに配合されることにより、支持体に適用した後、この支持体を赤外線検出器によって赤外線照射したときにのみ支持体の検出可能な透明な赤外線吸収性インクを作製することができる。
インクが着色剤を含有する場合、印刷されたパターンは視覚的に検出可能であるが、印刷された支持体（被印刷物）は同様の方法により、ＩＲＡを含まないインクで印刷された支持体と区別することができる。
【０１５２】
ＩＲＡまたは着色剤（例えば、フタロシアニンブルー、ベンジジンイエロー、チャンネルブラック、カーマイン６Ｂまたはチタンホワイト）をインクビヒクルに、好ましくは分散液として添加し、この混合物をボールミルに入れ、インクビヒクル中に顔料の均一な分散液が得られるまで粉砕する。得られたインク濃縮物は、追加の溶媒で希釈することにより、印刷に使用するのに適当な濃度に調整することができる。
【０１５３】
凹版模様印刷用の一般的なグラビアインク組成物は、インクの総質量に対して、酸化防止剤組成物約０．００５〜０．５質量％、樹脂約１０〜５０質量％、および前記一般式（Ｉ）で表される化合物（ＩＲＡ）約０．０１〜約５．０質量％（好ましくは０．１〜３．０質量％）、および／または、樹脂１００質量部当たり着色剤約５０〜１００質量部を含み、残余はトルエン、キシレンおよびラクトール蒸留分などの炭化水素溶媒の混合物から本質的に構成される。使用時点でのインクの粘度は、好ましくは０．５Ｐａ・ｓ（５Ｐ）以下が好ましく、０．０５〜０．１Ｐａ・ｓ（０．５〜１．０Ｐ）がより好ましい。使用する酸化防止剤組成物の量は、インクの総質量に対して、０．００５〜０．５質量％が好ましく、より好ましくは０．０２５〜０．５質量％である。
【０１５４】
印刷適性、流動挙動および顔料湿潤性（pigment wetting）を改善するために、他の添加剤も樹脂に対して１質量％〜１５質量％（より好ましくは１質量％〜１０質量％）の量で配合することができる。ワックス、例えばエステルワックス、アミドワックス、炭化水素ワックスは、０．１〜５質量％の量で添加することができる。
また、他の適合可能な添加剤、例えばエチルセルロースまたはエチルヒドロキシセルロースを使用して、インクのフィルム付着性、耐擦り傷性（scuff resistance）、光沢などを改善することができる。印刷用のインクは、可塑剤を用いずに使用するのが好ましいが、可塑剤は特別の効果を達成するために添加することができる。
【０１５５】
支持体としては、凹版模様印刷で慣用されているもの、例えば、紙、セロファンおよび金属フィルム（例えばアルミニウムフィルム）が挙げられる。
【０１５６】
標識された液体は、例えば使用の際に適当な方法を用いて再び検出することができる。本発明においては、前記一般式（Ｉ）で表される化合物を用いることによって、液体を標識し、これを検出することにより標識された液体を識別することができる。このようにして、例えば燃料油とディーゼル油を区別することが可能である。
【０１５７】
前記一般式（Ｉ）で表される化合物を用いて標識することができる溶剤は、特に有機液体、例えばアルコール、例えばメタノール、エタノール、プロパノール、イソプロパノール、ブタノール、イソブタノール、ｓ−ブタノール、ペンタノール、イソペンタノール、ネオペンタノールまたはヘキサノール、グリコール、例えば１，２−エチレングリコール、１，２−または１，３−プロピレングリコール、１，２−、２，３−または１，４−ブチレングリコール、ジ−またはトリエチレングリコールまたはジ−またはトリプロピレングリコール、エーテル、例えばメチル−ｔ−ブチルエーテル、１，２−エチレングリコールモノメチルまたはジメチルエーテル、１，２−エチレングリコールモノエチルまたはジエチルエーテル、３−メトキシプロパノール、３−イソプロポキシプロパノール、テトラヒドロフランまたはジオキサン、ケトン、例えばアセトン、メチルエチルケトンまたはジアセトンアルコール、エステル、例えばメチルアセテート、エチルアセテート、プロピルアセテートまたはブチルアセテート、脂肪族または芳香族炭化水素、例えばペンタン、ヘキサン、ヘプタン、オクタン、イソオクタン、石油エーテル、トルエン、キシレン、エチルベンゼン、テトラリン、デカリン、ジメチルナフタリン、ミネラルスピリット、鉱油、例えばガソリン、ケロシン、ディーゼル油または燃料油、天然油、例えばオリーブ油、大豆油またはヒマワリ油または天然または合成のエンジン油、圧媒油またはギアー油、例えば車両用エンジン油またはミシン油またはブレーキ油、等が挙げられる。
【０１５８】
前記一般式（Ｉ）で表される化合物を用いて、例えば特開２０００−１７１８４号公報に記載の条件で熱線遮断材を作製することができる。一般式（Ｉ）で表される化合物を含むので、耐熱性、耐湿熱性に優れ、長期にわたって使用できる。
【実施例】
【０１５９】
以下、本発明を実施例により更に具体的に説明するが、本発明はその主旨を越えない限り、以下の実施例に限定されるものではない。なお、特に断りのない限り、「％」は質量基準である。
【０１６０】
（実施例１）：リソグラフィック印刷用インク配合物
下記表１に示す組成にて各成分を混合してリソグラフィック印刷用インク配合物を調製した。このインク配合物は、機密印刷インキ（security printing ink）で使用することができる。
【０１６１】
続いて、リソグラフィック印刷用インク配合物の各々を紙にコーティングし、得られたサンプルを、キセノンランプにて９．５万ルクスで下記表２に記載の時間照射し、照射前後での赤外吸収化合物の分光吸収極大波長の濃度を測定（波長２００〜１６００ｎｍの領域で測定）することにより、その残存率を求め、それぞれの耐光性を評価した。また、上記と同じサンプルを、８０℃の条件下、および６０℃、相対湿度（ＲＨ）９０％の条件下にてそれぞれ下記表２に記載の時間放置し、放置前後での赤外吸収化合物の分光吸収極大波長の濃度を測定（波長２００〜１６００ｎｍの領域で測定）して残存率を求め、熱堅牢性、および湿熱堅牢性を評価した。
【０１６２】
さらに、上記条件で照射または放置した後のインクを紙、プラスチックのシートに塗って画像を描き、スキャナー（レーザー波長９４０ｎｍ）により検出させたところ、画像を良好に検出することができた。
【０１６３】
【表１】
2008261809.tif 000013
【０１６４】
【表２】
2008261809.tif 000014
【０１６５】
【化１２】
2008261809.tif 000015
【０１６６】
以上より、一般式（Ｉ）で表される化合物は、同類の骨格を有する比較化合物より堅牢であった。また、特表２００５−５３７，３１９号公報に記載の化合物より特に光堅牢性に優れていた。
【０１６７】
（実施例２）：凹版インク配合物
下記表３に示す組成にて各成分を混合して凹版インク配合物を調製した。このインク配合物は、機密印刷インキ（security printing ink）で使用することができる。
【０１６８】
続いて、凹版インク配合物の各々を紙にコーティングし、得られたサンプルを、キセノンランプにて９．５万ルクスで下記表４に記載の時間照射し、照射前後での赤外吸収化合物の分光吸収極大波長の濃度を測定（波長２００〜１６００ｎｍの領域で測定）することにより、その残存率を求め、それぞれの耐光性を評価した。また、上記と同じサンプルを、８０℃の条件下、および６０℃、相対湿度（ＲＨ）９０％の条件下にてそれぞれ下記表４に記載の時間放置し、放置前後での赤外吸収化合物の分光吸収極大波長の濃度を測定（波長２００〜１６００ｎｍの領域で測定）して残存率を求め、熱堅牢性、および湿熱堅牢性を評価した。
【０１６９】
さらに、上記条件で照射または放置した後のインクを紙、プラスチックのシートに塗って画像を描き、スキャナー（レーザー波長９４０ｎｍ）により検出させたところ、画像を良好に検出することができた。
【０１７０】
【表３】
2008261809.tif 000016
【０１７１】
【表４】
2008261809.tif 000017
【０１７２】
以上より、一般式（Ｉ）で表される化合物は、同類の骨格を有する比較化合物より堅牢であった。また、特表２００５−５３７，３１９号公報に記載の化合物より特に光堅牢性に優れていた。
【０１７３】
（実施例３）：ＵＶ硬化インク配合物
下記表５に示す組成にて各成分を混合してＵＶ硬化インク配合物を調製した。このインク配合物は、機密印刷インキ（security printing ink）で使用することができる。
【０１７４】
続いて、ＵＶ硬化インク配合物の各々を紙にコーティングし、得られたサンプルを、キセノンランプにて９．５万ルクスで下記表６に記載の時間照射し、照射前後での赤外吸収化合物の分光吸収極大波長の濃度を測定（波長２００〜１６００ｎｍの領域で測定）することにより、その残存率を求め、それぞれの耐光性を評価した。また、上記と同じサンプルを、８０℃の条件下、および６０℃、相対湿度（ＲＨ）９０％の条件下にてそれぞれ下記表６に記載の時間放置し、放置前後での赤外吸収化合物の分光吸収極大波長の濃度を測定（波長２００〜１６００ｎｍの領域で測定）して残存率を求め、熱堅牢性、および湿熱堅牢性を評価した。
【０１７５】
さらに、上記条件で照射または放置した後のインクを紙、プラスチックのシートに塗って画像を描き、スキャナー（レーザー波長９４０ｎｍ）により検出させたところ、画像を良好に検出することができた。
【０１７６】
【表５】
2008261809.tif 000018
【０１７７】
【表６】
2008261809.tif 000019
【０１７８】
以上より、一般式（Ｉ）で表される化合物は、同類の骨格を有する比較化合物より堅牢であった。また、特表２００５−５３７，３１９号公報に記載の化合物より特に光堅牢性に優れていた。
【０１７９】
（実施例４）：溶媒ベースのインク配合物
下記表７に示す組成にて各成分を混合して溶媒ベースのインク配合物を調製した。このインク配合物は、機密印刷インキ（security printing ink）で使用することができる。
【０１８０】
続いて、溶媒ベースのインク配合物の各々を紙にコーティングし、得られたサンプルを、キセノンランプにて９．５万ルクスで下記表８に記載の時間照射し、照射前後での赤外吸収化合物の分光吸収極大波長の濃度を測定（波長２００〜１６００ｎｍの領域で測定）することにより、その残存率を求め、それぞれの耐光性を評価した。また、上記と同じサンプルを、８０℃の条件下、および６０℃、相対湿度（ＲＨ）９０％の条件下にてそれぞれ下記表８に記載の時間放置し、放置前後での赤外吸収化合物の分光吸収極大波長の濃度を測定（波長２００〜１６００ｎｍの領域で測定）して残存率を求め、熱堅牢性、および湿熱堅牢性を評価した。
【０１８１】
さらに、上記条件で照射または放置した後のインクを紙、プラスチックのシートに塗って画像を描き、スキャナー（レーザー波長９４０ｎｍ）により検出させたところ、画像を良好に検出することができた。
【０１８２】
【表７】
2008261809.tif 000020
【０１８３】
【表８】
2008261809.tif 000021
【０１８４】
以上より、一般式（Ｉ）で表される化合物は、同類の骨格を有する比較化合物より堅牢であった。また、特表２００５−５３７，３１９号公報に記載の化合物より特に光堅牢性に優れていた。
【０１８５】
（実施例５）：機密用トナー
下記表９に示す組成の成分を混合して、トナーを調製した。ここで、前記一般式（Ｉ）で表される化合物の例示化合物は、フラッシュ定着（flush fusion）および機密特性の両用のトナー中で赤外線吸着成分として使用した。
【０１８６】
【表９】
2008261809.tif 000022
【０１８７】
本実施例において、トナーには更に、バインダー樹脂として例えば、スチレン−アクリルコポリマー、スチレン−ブタジエンコポリマー、ポリエステル類および炭化水素樹脂などの一種以上のポリマーを含むことができる。種々の分子量のポリマーを使用して分子量分布およびトナーの溶融レオロジー特性を制御する場合には、ポリマーの混合物を使用することができる。トナーは顔料または染料などの着色剤も含むことができる。磁性顔料（magnetic pigment）も使用することができる。電荷制御剤（charge control agent）をトナーに、内部的またはトナー表面に添加することができる。典型的な電荷制御剤としては、金属錯体（例えば、金属はＺｎ、Ａｌ、ＦｅまたはＣｒである）およびポリマー材料（例えばフェノール性ポリマー）が挙げられる。ワックスは溶融ローラーから剥がし易くするためにトナーに配合することができる。そのようなワックスとしては、炭化水素ワックス（例えばパラフィンワックス、ポリエチレン若しくはポリプロピレンワックス、または一酸化炭素と水素とから製造したワックス、例えばFischer-Tropschワックス）、天然製品のワックス（例えばカルナウバワックス）または合成エステル若しくはアミドワックスが挙げられる。トナーは流動性（flow）、電荷性能または移動特性を制御するために表面に添加剤を含むことができる。そのような添加剤は、無機材料、例えばシリカ、チタニアおよびアルミナ、またはポリマー粒子を含むことができる。
【０１８８】
また、上記の実施例では、インク、トナー並びに画像の検出を中心に説明したが、上記と同様に、シグナル変換、製品または支持体の真偽の証明も可能であり、鉱油、熱線遮断材、ポリマーの溶接方法、リソグラフィック印刷プレートの製造方法を行なった場合も同様の結果を得ることができる。